(57)【特許請求の範囲】
【請求項１】
通信手段を備えデータの送受信が可能なセンターサーバ、情報を提供する情報サーバ、並びに情報を必要とするリクエスタをそれぞれネットワーク上に接続したネットワークシステムにおいて、
前記情報サーバは、ユニークコードが示す情報を保持し、
前記センターサーバは、ユニークコードと情報サーバのアドレスや電話番号等接続に必要な接続情報とファイル名を有するマスターレコードを複数格納したマスターファイルを備え、
前記リクエスタは、検索コードを該当するセンターサーバに送信し、検索コードを受信したセンターサーバは、この検索コードと一致するユニークコードを自己のマスターファイルより検索してマスターレコードを特定し、この特定したマスターレコードから情報サーバの接続情報を取得してこの接続情報が示す情報サーバに特定したマスターレコードのファイル名を送信し、このファイル名を受信した情報サーバは、このファイル名が示す情報を該当するセンターサーバに送信し、当該センターサーバは、情報サーバから情報を受信するとこの情報を該当するリクエスタに送信し、当該リクエスタはこの情報を受信することを特徴とするネットワークシステムの情報処理方法。
【請求項２】
通信手段を備えデータの送受信が可能なセンターサーバ、情報を提供する情報サーバ、並びに情報を必要とするリクエスタをそれぞれネットワーク上に接続したネットワークシステムにおいて、
前記情報サーバは、ユニークコードが示す情報を保持し、
前記センターサーバは、ユニークコードと情報サーバのアドレスや電話番号等接続に必要な接続情報とファイル名を有するマスターレコードを複数格納したマスターファイルを保持するマスターファイル保持手段と、前記リクエスタから検索コードを受信する受信手段と、この受信手段が受信した検索コードと一致するユニークコードを自己のマスターファイルより検索してマスターレコードを特定するマスターレコード検索手段と、このマスターレコード検索手段が特定したマスターレコードから情報サーバの接続情報を取得してこの接続情報が示す情報サーバに特定したマスターレコードのファイル名を送信し、当該情報サーバから送信したファイル名が示す情報を受信する情報取得手段と、この情報取得手段が受信した情報を該当するリクエスタに送信する情報納付手段とを備え、
前記リクエスタは、該当するセンターサーバに検索コードを送信する検索コード送信手段と、該当するセンターサーバから情報を受信する情報受信手段とを備えたことを特徴とするネットワークシステムの情報処理装置。
【請求項３】
通信手段を備えデータの送受信が可能なセンターサーバ、情報を提供する情報サーバ、並びに情報を必要とするリクエスタをそれぞれネットワーク上に接続したネットワークシステムにおいて、
前記情報サーバは、１つのユニークコードに対して情報種別と情報を保持し、
前記センターサーバは、ユニークコードと情報種別と情報サーバのアドレスや電話番号等接続に必要な接続情報とファイル名からなるマスターレコード群を格納したマスターファイルと、１つのユニークコードに対して情報種別と参照カウンタを有する参照レコード群からなる参照メモリと、センターサーバのアドレス群からなるドメインファイルを備え、
前記リクエスタは、検索コードと検索種別を該当するセンターサーバに送信し、検索コードと検索種別を受信したセンターサーバは、この検索コードと一致するユニークコードを自己のマスターファイルより検索してマスターレコード群を特定し、この特定したマスターレコード群から検索種別の情報コードと一致する情報種別を検索し、この一致した情報種別が属するマスターレコードを取得し、受信した検索種別の選択コードが接続情報選択のときは、当該接続情報を該当するリクエスタに送信するとともにユニークコードの情報種別に対応する参照メモリの参照カウンタをインクリメントし、当該リクエスタはこの接続情報を受信し、また、受信した検索種別の選択コードが情報選択のときは、取得したマスターレコードの接続情報が示す情報サーバにこのマスターレコードのファイル名を送信し、ファイル名を受信した情報サーバは、このファイル名が示す情報を該当するセンターサーバに送信し、当該センターサーバは、該当する情報サーバから情報を受信するとこの情報を該当するリクエスタに送信するとともにユニークコードの情報種別に対応する参照メモリの参照カウンタをインクリメントし、当該リクエスタはこのセンターサーバからの情報を受信し、また、当該センターサーバは、自己のマスタファイルにデータが無いとき、自己のドメインファイルが示すアドレスの他のセンターサーバに対し順次あるいは同時に検索コードと検索種別を送信し、この検索コードと検索種別を送信した他のセンターサーバから最も早く受信した情報を該当するリクエスタに送信するとともにこの最も早い情報の受信後、それ以外の検索コードと検索種別を送信した他のセンターサーバから受信した情報を破棄することを特徴とするネットワークシステムの情報処理方法。
【請求項４】
通信手段を備えデータの送受信が可能なセンターサーバ、情報を提供する情報サーバ、並びに情報を必要とするリクエスタをそれぞれネットワーク上に接続したネットワークシステムにおいて、
前記情報サーバは、１つのユニークコードに対して情報種別と情報を保持し、
前記センターサーバは、ユニークコードと情報種別と情報サーバのアドレスや電話番号等接続に必要な接続情報とファイル名からなるマスターレコード群を格納したマスターファイルと、１つのユニークコードに対して情報種別と参照カウンタを有する参照レコード群からなる参照メモリと、センターサーバのアドレス群からなるドメインファイルを備え、
前記センターサーバは、前記リクエスタから検索コードと検索種別を受信すると、この検索コードと一致するユニークコードを自己のマスターファイルより検索してマスターレコード群を特定し、この特定したマスターレコード群から検索種別の情報コードと一致する情報種別を検索し、この一致した情報種別が属するマスターレコードを取得し、受信した検索種別の選択コードが接続情報選択のときは、当該接続情報を該当するリクエスタに送信するとともにユニークコードの情報種別に対応する参照メモリの参照カウンタをインクリメントし、また、受信した検索種別の選択コードが情報選択のときは、取得したマスターレコードの接続情報が示す情報サーバにこのマスターレコードのファイル名を送信し、当該情報サーバから送信したファイル名が示す情報を受信するとこの情報を該当するリクエスタに送信するとともにユニークコードの情報種別に対応する参照メモリの参照カウンタをインクリメントし、また、自己のマスタファイルにデータが無いとき、自己のドメインファイルが示すアドレスの他のセンターサーバに対し順次あるいは同時に検索コードと検索種別を送信し、この検索コードと検索種別を送信した他のセンターサーバから最も早く受信した情報を該当するリクエスタに送信するとともにこの最も早い情報の受信後、それ以外の検索コードと検索種別を送信した他のセンターサーバから受信した情報を破棄することを特徴とするネットワークシステムの情報処理方法。
【請求項５】
通信手段を備えデータの送受信が可能なセンターサーバ、サブセンターサーバ、情報を提供する情報サーバ、並びに情報を必要とするリクエスタをそれぞれネットワーク上に接続したネットワークシステムにおいて、
前記情報サーバは、１つのユニークコードに対して情報種別と情報を保持し、
前記センターサーバ及びサブセンターサーバは、ユニークコードと情報種別と情報サーバのアドレスや電話番号等接続に必要な接続情報とファイル名からなるマスターレコード群を格納したマスターファイルと、１つのユニークコードに対して情報種別と参照カウンタを有する参照レコード群からなる参照メモリと、センターサーバのアドレス群からなるドメインファイルを備え、
前記リクエスタは、検索コードと検索種別を該当するセンターサーバ又はサブセンターサーバに送信し、検索コードと検索種別を受信したセンターサーバ又はサブセンターサーバは、この検索コードと一致するユニークコードを自己のマスターファイルより検索してマスターレコード群を特定し、この特定したマスターレコード群から検索種別の情報コードと一致する情報種別を検索し、この一致した情報種別が属するマスターレコードを取得し、受信した検索種別の選択コードが接続情報選択のときは、当該接続情報を該当するリクエスタに送信するとともにユニークコードの情報種別に対応する参照メモリの参照カウンタをインクリメントし、当該リクエスタはこの接続情報を受信し、また、受信した検索種別の選択コードが情報選択のときは、取得したマスターレコードの接続情報が示す情報サーバにこのマスターレコードのファイル名を送信し、ファイル名を受信した情報サーバは、このファイル名が示す情報を該当するセンターサーバ又はサブセンターサーバに送信し、当該センターサーバ又はサブセンターサーバは、該当する情報サーバから情報を受信するとこの情報を該当するリクエスタに送信するとともにユニークコードの情報種別に対応する参照メモリの参照カウンタをインクリメントし、当該リクエスタはこのセンターサーバ又はサブセンターサーバからの情報を受信し、また、当該センターサーバ又はサブセンターサーバは、自己のマスタファイルにデータが無いとき、自己のドメインファイルが示すアドレスの他のセンターサーバに対し順次あるいは同時に検索コードと検索種別を送信し、この検索コードと検索種別を送信した他のセンターサーバから最も早く受信した情報を該当するリクエスタに送信するとともにこの最も早い情報の受信後、それ以外の検索コードと検索種別を送信した他のセンターサーバから受信した情報を破棄し、
また、前記センターサーバ及びサブセンターサーバは、マスターファイルの各マスターレコード毎に所定の個数の同期ビット列を設け、特定のサブセンターサーバのアドレスを入力するとこのアドレスを記憶するとともに所定の同期ビットをクリアし、マスターファイルとドメインファイルを特定のサブセンターサーバに送信し、当該特定のサブセンターサーバは、マスターファイルとドメインファイルを受信して保持し、この状態で前記リクエスターから検索コードと検索種別を受信すると、この検索コードと一致するユニークコードを自己のマスターファイルより検索してマスターレコード群を特定し、この特定したマスターレコード群から検索種別の情報コードと一致する情報種別を検索し、この一致した情報種別が属するマスターレコードを取得し、受信した検索種別の選択コードが接続情報選択のときは、当該接続情報を該当するリクエスタに送信し、また、受信した検索種別の選択コードが情報選択のときは、取得したマスターレコードの接続情報が示す情報サーバにこのマスターレコードのファイル名を送信し、当該情報サーバから送信したファイル名が示す情報を受信するとこの情報を該当するリクエスタに送信し、
さらに、前記センターサーバ及びサブセンターサーバは、自己のマスターファイルの内容更新時にマスターレコードの所定の同期ビットをオンし、一定時間毎に全マスターレコードの該当する同期ビット列を検査し、オンのマスターレコードを特定のサブセンターサーバに送信して同期ビットをクリアし、当該特定のサブセンターサーバは、マスターレコードを受信して自己のマスターファイルの内容を更新することを特徴とするネットワークシステムの情報処理方法。
【請求項６】
通信手段を備えデータの送受信が可能なセンターサーバ、サブセンターサーバ、情報を提供する情報サーバ、並びに情報を必要とするリクエスタをそれぞれネットワーク上に接続したネットワークシステムにおいて、
前記情報サーバは、１つのユニークコードに対して情報種別と情報を保持し、
前記センターサーバ及びサブセンターサーバは、ユニークコードと情報種別と情報サーバのアドレスや電話番号等接続に必要な接続情報とファイル名からなるマスターレコード群を格納したマスターファイルと、１つのユニークコードに対して情報種別と参照カウンタを有する参照レコード群からなる参照メモリと、センターサーバのアドレス群からなるドメインファイルを備えるとともに、マスターファイルの各マスターレコード毎に所定の個数の同期ビット列を設け、
前記センターサーバは、前記リクエスタから検索コードと検索種別を受信すると、この検索コードと一致するユニークコードを自己のマスターファイルより検索してマスターレコード群を特定し、この特定したマスターレコード群から検索種別の情報コードと一致する情報種別を検索し、この一致した情報種別が属するマスターレコードを取得し、受信した検索種別の選択コードが接続情報選択のときは、当該接続情報を該当するリクエスタに送信するとともにユニークコードの情報種別に対応する参照メモリの参照カウンタをインクリメントし、また、受信した検索種別の選択コードが情報選択のときは、取得したマスターレコードの接続情報が示す情報サーバにこのマスターレコードのファイル名を送信し、当該情報サーバから送信したファイル名が示す情報を受信するとこの情報を該当するリクエスタに送信するとともにユニークコードの情報種別に対応する参照メモリの参照カウンタをインクリメントし、また、自己のマスタファイルにデータが無いとき、自己のドメインファイルが示すアドレスの他のセンターサーバに対し順次あるいは同時に検索コードと検索種別を送信し、この検索コードと検索種別を送信した他のセンターサーバから最も早く受信した情報を該当するリクエスタに送信するとともにこの最も早い情報の受信後、それ以外の検索コードと検索種別を送信した他のセンターサーバから受信した情報を破棄し、
また、前記センターサーバは、特定のサブセンターサーバのアドレスを入力するとこのアドレスを記憶するとともに所定の同期ビットをクリアし、マスターファイルとドメインファイルを特定のサブセンターサーバに送信し、また、自己のマスターファイルの内容更新時にマスターレコードの所定の同期ビットをオンし、一定時間毎に全マスターレコードの該当する同期ビット列を検査し、オンのマスターレコードを特定のサブセンターサーバに送信して同期ビットをクリアすることを特徴とするネットワークシステムの情報処理方法。
【請求項７】
通信手段を備えデータの送受信が可能なセンターサーバ、サブセンターサーバ、情報を提供する情報サーバ、並びに情報を必要とするリクエスタをそれぞれネットワーク上に接続したネットワークシステムにおいて、
前記情報サーバは、１つのユニークコードに対して情報種別と情報を保持し、
前記センターサーバ及びサブセンターサーバは、ユニークコードと情報種別と情報サーバのアドレスや電話番号等接続に必要な接続情報とファイル名からなるマスターレコード群を格納するとともに各マスターレコード毎に設けた所定の個数の同期ビット列を格納したマスターファイルを保持するマスターファイル保持手段と、１つのユニークコードに対して情報種別と参照カウンタを有する参照レコード群からなる参照メモリを保持する参照メモリ保持手段と、センターサーバ又はサブセンターサーバのアドレス群からなるドメインファイルを保持するドメインファイル保持手段と、前記リクエスタから検索コードと検索種別を受信する受信手段と、この受信手段が受信した検索コードと一致するユニークコードを自己のマスターファイルより検索してマスターレコード群を特定し、この特定したマスターレコード群から検索種別の情報コードと一致する情報種別を検索し、この一致した情報種別が属するマスターレコードを取得するマスターレコード検索手段と、受信した検索種別の選択コードが接続情報選択のときは、当該接続情報を該当するリクエスタに送信する接続情報納付手段と、受信した検索種別の選択コードが情報選択のときは、取得したマスターレコードの接続情報が示す情報サーバにこのマスターレコードのファイル名を送信し、当該情報サーバから送信したファイル名が示す情報を受信する情報取得手段と、この情報取得手段が受信した情報を該当するリクエスタに送信する情報納付手段と、ユニークコードの情報種別に対応する参照メモリの参照カウンタをインクリメントする参照実績作成手段と、前記マスターレコード検索手段による検索時において自己のマスタファイルにデータが無いとき、自己のドメインファイルが示すアドレスの他のセンターサーバ又はサブセンターサーバに対し順次あるいは同時に検索コードと検索種別を送信する送信手段と、この送信手段により検索コードと検索種別を送信した他のセンターサーバ又はサブセンターサーバから最も早く受信した情報を該当するリクエスタに送信する委託情報納付手段と、前記送信手段による最も早い情報の受信後、それ以外の検索コードと検索種別を送信した他のセンターサーバ又はサブセンターサーバから受信した情報を破棄する破棄手段と、入力された特定のサブセンターサーバのアドレスを記憶するとともに所定の同期ビットをクリアし、マスタファイルとドメインファイルを特定のサブセンターサーバに送信するサブセンターサーバ設定手段と、入力されたマスターレコードをマスターファイルに記憶し、所定の同期ビットをオンするマスタファイル更新手段と、一定時間毎に全マスターレコードの同期ビット列を検査し、オンのマスターレコードを特定のサブセンターサーバに送信して同期ビットをクリアする同期処理手段とを具備したことを特徴とするネットワークシステムの情報処理装置。
【請求項８】
センターサーバ及びサブセンターサーバは、サブセンターサーバが実行可能な命令プログラム並びにデータを該当するサブセンターサーバに送信し、該当するサブセンターサーバは、命令プログラム並びにデータを受信すると、読み出し可能な主記憶媒体にセットした後、命令プログラムを実行することを特徴とする請求項５記載のネットワークシステムの情報処理方法。
【請求項９】
センターサーバ及びサブセンターサーバは、さらに、サブセンターサーバーが実行可能な命令プログラム並びにデータを該当するサブセンターサーバーに送信するプログラム送信手段を具備したことを特徴とする請求項７記載のネットワークシステムの情報処理装置。
【請求項１０】
通信手段を備えデータの送受信が可能なセンターサーバ、サブセンターサーバ、商品情報を提供する情報サーバ、並びに商品情報を必要とするリクエスタをそれぞれネットワーク上に接続したネットワークシステムにおいて、
前記情報サーバは、１つの商品コードに対して情報種別と商品情報を保持し、
前記センターサーバ及びサブセンターサーバは、情報種別と情報サーバのアドレスや電話番号等接続に必要な接続情報とファイル名からなるマスターレコード群を格納したマスターファイルと、１つの商品コードに対して情報種別と参照カウンタを有する参照レコード群からなる参照メモリと、商品コードの構成要素である企業コードと他のセンターサーバ又はサブセンターサーバのアドレス群で構成される企業ファイルと、センターサーバ又はサブセンターサーバのアドレス群からなるドメインファイルを備え、
前記リクエスタは、検索コードと検索種別を該当するセンターサーバ又はサブセンターサーバに送信し、検索コードと検索種別を受信したセンターサーバ又はサブセンターサーバは、この検索コードと一致する商品コードを自己のマスターファイルより検索してマスターレコード群を特定し、この特定したマスターレコード群から検索種別の情報コードと一致する情報種別を検索し、この一致した情報種別が属するマスターレコードを取得し、受信した検索種別の選択コードが接続情報選択のときは、当該接続情報を該当するリクエスタに送信するとともに商品コードの情報種別に対応する参照メモリの参照カウンタをインクリメントし、当該リクエスタはこの接続情報を受信し、また、受信した検索種別の選択コードが情報選択のときは、取得したマスターレコードの接続情報が示す情報サーバにこのマスターレコードのファイル名を送信し、ファイル名を受信した情報サーバは、このファイル名が示す商品情報を該当するセンターサーバ又はサブセンターサーバに送信し、当該センターサーバ又はサブセンターサーバは、該当する情報サーバから商品情報を受信するとこの商品情報を該当するリクエスタに送信するとともに商品コードの情報種別に対応する参照メモリの参照カウンタをインクリメントし、当該リクエスタはこのセンターサーバ又はサブセンターサーバからの商品情報を受信し、
また、当該センターサーバ又はサブセンターサーバは、自己のマスターファイルにデータが無いとき、検索コード内の企業コードをキーとして自己の企業ファイルを検索し、一致したアドレス群のサーバに対し順次あるいは同時に検索コードと検索種別を送信し、最速で受信した商品情報を該当するリクエスタに送信し、最速の商品情報を受信後、他のサーバから受信した結果を破棄し、
さらに、当該センターサーバ又はサブセンターサーバは、自己のマスターファイル及び企業ファイルにデータが無いとき、自己のドメインファイルが示すアドレスの他のサーバに対し順次あるいは同時に検索コードと検索種別を送信し、この検索コードと検索種別を送信した他のサーバから最も早く受信した商品情報を該当するリクエスタに送信するとともにこの最も早い商品情報の受信後、それ以外の検索コードと検索種別を送信した他のサーバから受信した商品情報を破棄することを特徴とするネットワークシステムの情報処理方法。
【請求項１１】
通信手段を備えデータの送受信が可能なセンターサーバ、サブセンターサーバ、商品情報を提供する情報サーバ、並びに商品情報を必要とするリクエスタをそれぞれネットワーク上に接続したネットワークシステムにおいて、
前記情報サーバは、１つの商品コードに対して情報種別と商品情報を保持し、
前記センターサーバ及びサブセンターサーバは、情報種別と情報サーバのアドレスや電話番号等接続に必要な接続情報とファイル名からなるマスターレコード群を格納したマスターファイルを保持するマスターファイル保持手段と、１つの商品コードに対して情報種別と参照カウンタを有する参照レコード群からなる参照メモリを保持する参照メモリ保持手段と、商品コードの構成要素である企業コードと他のセンターサーバ又はサブセンターサーバのアドレス群で構成される企業ファイルを保持する企業ファイル保持手段と、センターサーバ又はサブセンターサーバのアドレス群からなるドメインファイルを保持するドメインファイル保持手段と、検索コードと検索種別を受信する受信手段と、検索コードと一致する商品コードをマスターファイルより検索してマスターレコード群を特定し、該当するマスターレコード群から検索種別の情報コードと一致する情報種別を検索し、この一致した情報種別が属するマスターレコードを取得するマスターレコード検索手段と、受信した検索種別の選択コードが接続情報選択のときは、前記マスターレコード検索手段が取得したマスターレコードの接続情報を該当するリクエスタに送信する接続情報納付手段と、受信した検索種別の選択コードが情報選択のときは、前記マスターレコード検索手段が取得したマスターレコードの接続情報が示す情報サーバにこのマスターレコードのファイル名を送信して当該情報サーバからこのファイル名が示す商品情報を受信する情報取得手段と、この情報取得手段が受信した商品情報を該当するリクエスタに送信する情報納付手段と、商品コードの情報種別に対応する参照メモリの参照カウンタをインクリメントする参照実績作成手段と、自己のマスタファイルにデータが無いとき、検索コード内の企業コードをキーとして自己の企業ファイルを検索し、一致したアドレス群のサーバに対し順次あるいは同時に検索コードと検索種別を送信する第１の送信手段と、自己のマスターファイル及び企業ファイルにデータが無いとき、自己のドメインファイルが示すアドレスの他のサーバに対し順次あるいは同時に検索コードと検索種別を送信する第２の送信手段と、前記各送信手段により最速で受信した商品情報を該当するリクエスタに送信する委託情報納付手段と、前記各送信手段において最速の商品情報を受信後、他のサーバから受信した結果を破棄する破棄手段を具備したことを特徴とするネットワークシステムの情報処理装置。
【請求項１２】
通信手段を備えデータの送受信が可能なセンターサーバ、サブセンターサーバ、商品情報を提供する情報サーバ、並びに商品情報を必要とするリクエスタをそれぞれネットワーク上に接続したネットワークシステムにおいて、
前記情報サーバは、１つの商品コードに対して情報種別と商品情報を保持し、
前記センターサーバ及びサブセンターサーバは、情報種別と情報サーバのアドレスや電話番号等接続に必要な接続情報とファイル名からなるマスターレコード群を格納したマスターファイルと、１つの商品コードに対して情報種別と参照カウンタを有する参照レコード群からなる参照メモリと、商品コードの構成要素である企業コードと他のセンターサーバ又はサブセンターサーバのアドレス群で構成される企業ファイルと、センターサーバ又はサブセンターサーバのアドレス群からなるドメインファイルを備え、
前記リクエスタは、検索コードと検索種別を該当するセンターサーバ又はサブセンターサーバに送信し、検索コードと検索種別を受信したセンターサーバ又はサブセンターサーバは、この検索コードと一致する商品コードを自己のマスターファイルより検索してマスターレコード群を特定し、この特定したマスターレコード群から検索種別の情報コードと一致する情報種別を検索し、この一致した情報種別が属するマスターレコードを取得し、受信した検索種別の選択コードが接続情報選択のときは、当該接続情報を該当するリクエスタに送信するとともに商品コードの情報種別に対応する参照メモリの参照カウンタをインクリメントし、当該リクエスタはこの接続情報を受信し、また、受信した検索種別の選択コードが情報選択のときは、取得したマスターレコードの接続情報が示す情報サーバにこのマスターレコードのファイル名を送信し、ファイル名を受信した情報サーバは、このファイル名が示す商品情報を該当するセンターサーバ又はサブセンターサーバに送信し、当該センターサーバ又はサブセンターサーバは、該当する情報サーバから商品情報を受信するとこの商品情報を該当するリクエスタに送信するとともに商品コードの情報種別に対応する参照メモリの参照カウンタをインクリメントし、当該リクエスタはこのセンターサーバ又はサブセンターサーバからの商品情報を受信し、
また、当該センターサーバ又はサブセンターサーバは、自己のマスターファイルにデータが無いとき、検索コード内の企業コードをキーとして自己の企業ファイルを検索し、一致したアドレス群のサーバに対し順次あるいは同時に検索コードと検索種別を送信し、最速で受信した商品情報を該当するリクエスタに送信し、最速の商品情報を受信後、他のサーバから受信した結果を破棄し、
さらに、当該センターサーバ又はサブセンターサーバは、自己のマスターファイル及び企業ファイルにデータが無いとき、自己のドメインファイルが示すアドレスの他のサーバに対し順次あるいは同時に検索コードと検索種別を送信し、この検索コードと検索種別を送信した他のサーバから最も早く受信した商品情報を該当するリクエスタに送信するとともにこの最も早い商品情報の受信後、それ以外の検索コードと検索種別を送信した他のサーバから受信した商品情報を破棄し、
また、前記センターサーバ又はサブセンターサーバは、マスターファイルの各マスターレコード毎に所定の個数の同期ビット列を設け、特定のサブセンターサーバのアドレスを入力するとこのアドレスを記憶するとともに所定の同期ビットをクリアし、マスターファイルと企業ファイルとドメインファイルを特定のサブセンターサーバに送信し、当該特定のサブセンターサーバは、マスターファイルと企業ファイルとドメインファイルを受信して保持し、この状態で前記リクエスターから検索コードと検索種別を受信すると、この検索コードと一致する商品コードを自己のマスターファイルより検索してマスターレコード群を特定し、この特定したマスターレコード群から検索種別の情報コードと一致する情報種別を検索し、この一致した情報種別が属するマスターレコードを取得し、受信した検索種別の選択コードが接続情報選択のときは、当該接続情報を該当するリクエスタに送信し、また、受信した検索種別の選択コードが情報選択のときは、取得したマスターレコードの接続情報が示す情報サーバにこのマスターレコードのファイル名を送信し、当該情報サーバから送信したファイル名が示す商品情報を受信するとこの商品情報を該当するリクエスタに送信し、
また、当該センターサーバ及びサブセンターサーバは、自己のマスターファイルの内容更新時にマスターレコードの所定の同期ビットをオンし、一定時間毎に全マスターレコードの該当する同期ビット列を検査し、オンのマスターレコードを特定のサブセンターサーバアドレスに送信して同期ビットをクリアし、当該特定のサブセンターサーバは、マスターレコードを受信して自己のマスターファイルの内容を更新することを特徴とするネットワークシステムの情報処理方法。
【請求項１３】
通信手段を備えデータの送受信が可能なセンターサーバ、サブセンターサーバ、商品情報を提供する情報サーバ、並びに商品情報を必要とするリクエスタをそれぞれネットワーク上に接続したネットワークシステムにおいて、
前記情報サーバは、１つの商品コードに対して情報種別と商品情報を保持し、
前記センターサーバ及びサブセンターサーバは、情報種別と情報サーバのアドレスや電話番号等接続に必要な接続情報とファイル名からなるマスターレコード群を格納するとともに各マスターレコード毎に設けた所定の個数の同期ビット列を格納したマスターファイルを保持するマスターファイル保持手段と、１つの商品コードに対して情報種別と参照カウンタを有する参照レコード群からなる参照メモリを保持する参照メモリ保持手段と、商品コードの構成要素である企業コードと他のセンターサーバ又はサブセンターサーバのアドレス群で構成される企業ファイルを保持する企業ファイル保持手段と、センターサーバ又はサブセンターサーバのアドレス群からなるドメインファイルを保持するドメインファイル保持手段と、前記リクエスタから検索コードと検索種別を受信する受信手段と、この受信手段が受信した検索コードと一致する商品コードを自己のマスターファイルより検索してマスターレコード群を特定し、この特定したマスターレコード群から検索種別の情報コードと一致する情報種別を検索し、この一致した情報種別が属するマスターレコードを取得するマスターレコード検索手段と、受信した検索種別の選択コードが接続情報選択のときは、当該接続情報を該当するリクエスタに送信する接続情報納付手段と、受信した検索種別の選択コードが情報選択のときは、取得したマスターレコードの接続情報が示す情報サーバにこのマスターレコードのファイル名を送信し、当該情報サーバから送信したファイル名が示す商品情報を受信する商品情報取得手段と、この商品情報取得手段が受信した商品情報を該当するリクエスタに送信する商品情報納付手段と、商品コードの情報種別に対応する参照メモリの参照カウンタをインクリメントする参照実績作成手段と、自己のマスタファイルにデータが無いとき、検索コード内の企業コードをキーとして自己の企業ファイルを検索し、一致したアドレス群のサーバに対し順次あるいは同時に検索コードと検索種別を送信する第１の送信手段と、自己のマスターファイル及び企業ファイルにデータが無いとき、自己のドメインファイルで示されたアドレスのサーバに対し順次あるいは同時に検索コードと検索種別を送信する第２の送信手段と、前記各送信手段により最速で受信した商品情報を該当するリクエスタに送信する委託情報納付手段と、前記各送信手段において最速の商品情報を受信後、他のサーバから受信した結果を破棄する破棄手段と、入力された特定のサブセンターサーバのアドレスを記憶するとともに所定の同期ビットをクリアし、マスターファイルと企業ファイルとドメインファイルを特定のサブセンターサーバに送信するサブセンターサーバ設定手段と、入力されたマスターレコードをマスターファイルに記憶し、所定の同期ビットをオンするマスターファイル更新手段と、一定時間毎に全マスターレコードの同期ビット列を検査し、オンのマスターレコードを特定のサブセンターサーバアドレスに送信して同期ビットをクリアする同期処理手段とを具備したことを特徴とするネットワークシステムの情報処理装置。
【請求項１４】
サブセンターサーバは、さらに、他のセンターサーバ又はサブセンターサーバが送信したマスターファイルとドメインファイルを受信して保持するファイル受信手段と、他のセンターサーバ又はサブセンターサーバが送信したマスターレコードを受信して保持しているマスターファイルの内容を更新するマスターファイル更新手段とを具備したことを特徴とする請求項１３記載のネットワークシステムの情報処理装置。
【請求項１５】
通信手段を備えデータの送受信が可能なセンターサーバ、商品情報を提供する情報サーバ、並びに商品情報を必要とするリクエスタをそれぞれネットワーク上に接続したネットワークシステムにおいて、
前記情報サーバは、１つの商品コードに対して情報種別と商品情報を保持し、
前記センターサーバは、情報種別と情報サーバのアドレスや電話番号等接続に必要な接続情報を有するマスターレコードを格納したマスターファイルを備え、
前記リクエスタは、検索バーコードシンボルを含む２次元画像データをセンターサーバに送信し、２次元画像データを受信したセンターサーバは、この２次元画像データを認識して検索バーコードシンボルを検索コードにデコードし、この検索コードと一致する商品コードを自己のマスターファイルより検索してマスターレコードを特定し、この特定したマスターレコードから接続情報を取得して該当するリクエスタに送信し、当該リクエスタは受信した接続情報に基づいて該当する情報サーバから商品情報の提供を受けることを特徴とするネットワークシステムの情報処理方法。
【請求項１６】
通信手段を備えデータの送受信が可能なセンターサーバ、商品情報を提供する情報サーバ、並びに商品情報を必要とするリクエスタをそれぞれネットワーク上に接続したネットワークシステムにおいて、
前記情報サーバは、１つの商品コードに対して情報種別と商品情報を保持し、
前記センターサーバは、情報種別と情報サーバのアドレスや電話番号等接続に必要な接続情報を有するマスターレコードを格納したマスターファイルを保持するマスターファイル保持手段と、前記リクエスタから検索バーコードシンボルを含む２次元画像データを受信する受信手段と、この受信手段が受信した２次元画像データを認識して検索バーコードシンボルを検索コードにデコードするデコード手段と、このデコード手段がデコードした検索コードと一致する商品コードを自己のマスターファイルより検索してマスターレコードを特定するマスターレコード検索手段と、このマスターレコード検索手段が特定したマスターレコードから接続情報を取得して該当するリクエスタに送信する接続情報納付手段とを備え、
前記リクエスタは、該当するセンターサーバに検索バーコードシンボルを含む２次元画像データを送信する送信手段と、該当するセンターサーバから接続情報を受信する接続情報受信手段とを備えたことを特徴とするネットワークシステムの情報処理装置。
【請求項１７】
通信手段を備えデータの送受信が可能なセンターサーバ、商品情報を提供する情報サーバ、並びに商品情報を必要とするリクエスタをそれぞれネットワーク上に接続したネットワークシステムにおいて、
前記情報サーバは、１つの商品コードに対して情報種別と商品情報を保持し、
前記センターサーバは、情報種別と情報サーバのアドレスや電話番号等接続に必要な接続情報とファイル名からなるマスターレコードを格納したマスターファイルを備え、
前記リクエスタは、検索バーコードシンボルを含む２次元画像データをセンターサーバに送信し、２次元画像データを受信したセンターサーバは、この２次元画像データを認識して検索バーコードシンボルを検索コードにデコードし、この検索コードと一致する商品コードを自己のマスターファイルより検索してマスターレコードを特定し、この特定したマスターレコードから情報サーバの接続情報を取得してこの接続情報が示す情報サーバに特定したマスターレコードのファイル名を送信し、このファイル名を受信した情報サーバは、このファイル名が示す商品情報を該当するセンターサーバに送信し、当該センターサーバは、情報サーバから商品情報を受信するとこの商品情報を該当するリクエスタに送信し、当該リクエスタは、この商品情報を受信することを特徴とするネットワークシステムの情報処理方法。
【請求項１８】
通信手段を備えデータの送受信が可能なセンターサーバ、商品情報を提供する情報サーバ、並びに商品情報を必要とするリクエスタをそれぞれネットワーク上に接続したネットワークシステムにおいて、
前記情報サーバは、１つの商品コードに対して情報種別と商品情報を保持し、
前記センターサーバは、情報種別と情報サーバのアドレスや電話番号等接続に必要な接続情報とファイル名からなるマスターレコードを格納したマスターファイルを保持するマスターファイル保持手段と、前記リクエスタから検索バーコードシンボルを含む２次元画像データを受信する受信手段と、この受信手段が受信した２次元画像データを認識して検索バーコードシンボルを検索コードにデコードするデコード手段と、このデコード手段がデコードした検索コードと一致する商品コードを自己のマスターファイルより検索してマスターレコードを特定するマスターレコード検索手段と、このマスターレコード検索手段が特定したマスターレコードの接続情報が示す情報サーバに特定したマスターレコードのファイル名を送信して当該情報サーバからそのファイル名が示す商品情報を受信する情報取得手段と、この情報取得手段が取得した商品情報を該当するリクエスタに送信する情報納付手段とを具備したことを特徴とするネットワークシステムの情報処理装置。
【請求項１９】
通信手段を備えデータの送受信が可能なセンターサーバ、商品情報を提供する情報サーバ、並びに商品情報を必要とするリクエスタをそれぞれネットワーク上に接続したネットワークシステムにおいて、
前記情報サーバは、１つの商品コードに対して情報種別と商品情報を保持し、
前記センターサーバは、情報種別と情報サーバのアドレスや電話番号等の接続に必要な接続情報とファイル名からなるマスターレコード群を格納したマスターファイルと、１つの商品コードに対して情報種別と参照カウンタから構成される参照レコード群からなる参照メモリと、商品コードの構成要素である企業コードと他のセンターサーバのアドレス群で構成される企業ファイルと、センターサーバのアドレス群からなるドメインファイルを備え、
前記リクエスタは、検索コードあるいは検索バーコードシンボルを含む２次元画像データと検索種別を該当するセンターサーバに送信し、当該センターサーバは、検索コードあるいは検索バーコードシンボルを含む２次元画像データと検索種別を受信すると、２次元画像データについては認識して検索バーコードシンボルを検索コードにデコードし、このデコードした検索コードと一致する商品コードを自己のマスターファイルより検索してマスターレコード群を特定し、さらに、この特定したマスターレコード群から検索種別の情報コードと一致する情報種別を検索して一致した情報種別が属するマスターレコードを取得し、検索種別の選択コードが接続情報選択のときは、取得したマスターレコードの接続情報を該当するリクエスタに送信するとともに商品コードの情報種別に対応する参照メモリの参照カウンタをインクリメントし、また、検索種別の選択コードが情報選択のときは、この接続情報が示す情報サーバに該当するマスターレコードのファイル名を送信し、当該情報サーバは、ファイル名を受信すると、このファイル名が示す商品情報を該当するセンターサーバに送信し、当該センターサーバは、受信した商品情報を該当するリクエスタに送信するとともに商品コードの情報種別に対応する参照メモリの参照カウンタをインクリメントし、
また、前記センターサーバは、自己のマスターファイルにデータが無いとき、検索コード内の企業コードをキーとして自己の企業ファイルを検索し、一致したアドレス群のサーバに対し順次あるいは同時に検索コードと検索種別を送信し、最速で受信した商品情報を該当するリクエスタに送信し、最速の商品情報を受信後、他のサーバーから受信した結果を破棄し、
さらに、前記センターサーバは、自己のマスターファイル及び企業ファイルにデータが無いとき、自己のドメインファイルが示すアドレスの他のサーバに対し順次あるいは同時に検索コードと検索種別を送信し、この検索コードと検索種別を送信した他のサーバから最も早く受信した商品情報をリクエスタに送信するとともにこの最も早い商品情報の受信後、それ以外の検索コードと検索種別を送信した他のサーバから受信した商品情報を破棄することを特徴とするネットワークシステムの情報処理方法。
【請求項２０】
通信手段を備えデータの送受信が可能なセンターサーバ、商品情報を提供する情報サーバ、並びに商品情報を必要とするリクエスタをそれぞれネットワーク上に接続したネットワークシステムにおいて、
前記情報サーバは、１つの商品コードに対して情報種別と商品情報を保持し、
前記センターサーバは、情報種別と情報サーバのアドレスや電話番号等の接続に必要な接続情報とファイル名からなるマスターレコード群を格納したマスターファイルを保持するマスターファイル保持手段と、１つの商品コードに対して情報種別と参照カウンタから構成される参照レコード群からなる参照メモリを保持する参照メモリ保持手段と、商品コードの構成要素である企業コードと他のセンターサーバのアドレス群で構成される企業ファイルを保持する企業ファイル保持手段と、センターサーバのアドレス群からなるドメインファイルを保持するドメインファイル保持手段と、検索コードあるいは検索バーコードシンボルを含む２次元画像データと検索種別を受信する受信手段と、この受信手段が受信した２次元画像データを認識して検索バーコードシンボルを検索コードにデコードするデコード手段と、このデコード手段にてデコードした検索コードと一致する商品コードを自己のマスターファイルより検索してマスターレコード群を特定し、さらに、この特定したマスターレコード群から検索種別の情報コードと一致する情報種別を検索して一致した情報種別が属するマスターレコードを取得するマスターレコード検索手段と、受信した検索種別の選択コードが接続情報選択のときは、前記マスターレコード検索手段が取得したマスターレコードの接続情報を該当するリクエスタに送信する接続情報納付手段と、受信した検索種別の選択コードが情報選択のときは、前記マスターレコード検索手段が取得したマスターレコードの接続情報が示す情報サーバーにこのマスターレコードのファイル名を送信して当該情報サーバーからこのファイル名が示す商品情報を受信する情報取得手段と、この情報取得手段が受信した商品情報を該当するリクエスタに送信する情報納付手段と、商品コードの情報種別に対応する参照メモリの参照カウンタをインクリメントする参照実績作成手段と、自己のマスターファイルにデータが無いとき、検索コード内の企業コードをキーとして自己の企業ファイルを検索し、一致したアドレス群のサーバに対し順次あるいは同時に検索コードと検索種別を送信する第１の送信手段と、自己のマスターファイル及び企業ファイルにデータが無いとき、自己のドメインファイルが示すアドレスの他のサーバに対し順次あるいは同時に検索コードと検索種別を送信する第２の送信手段と、前記各送信手段により最速で受信した商品情報を該当するリクエスタに送信する委託情報納付手段と、前記各送信手段において最速の商品情報を受信後、他のサーバーから受信した結果を破棄する破棄手段とを具備したことを特徴とするネットワークシステムの情報処理装置。
【発明の詳細な説明】
【０００１】
【発明の属する技術分野】
本発明は、通信手段を備えデータの送受信が可能なセンターサーバやサブセンターサーバをネットワーク上に接続するとともに同じく通信手段を備えデータの送受信が可能な商品情報を提供する情報サーバ及び商品情報を必要とするリクエスタをネットワーク上に接続したネットワークシステムの情報処理方法及び情報処理装置に関する。
【０００２】
【従来の技術】
ＰＯＳ（販売時点情報管理）システムによる決済や商品のオンライン発注等ではバーコードシンボルの利用が一般化されている。例えば、バーコードリーダーを用いたバーコードの入力及び伝送方式としては、特開昭６１−７７６４号公報、特開昭６１−１０３３９０号公報、特開平１−３１１３６４号公報、特開平４−２０７６６０号公報、特開平４−３１３１５６号公報などが知られている。
特開昭６１−７７６４号公報は、電話回線を介して商品を発注するためのシステムにおいて、バーコードリーダにて読み取った情報を周波数信号に変換してから電話回線を介して供給者に伝送するというものであり、特開昭６１−１０３３９０号公報は、バーコードリーダで読み取ったコードを記憶装置に記憶した後、トーンエンコーダ及び送受話器を介してセンターに送信して商品の発注等を行うものであり、特開平１−３１１３６４号公報、特開平４−２０７６６０号公報及び特開平４−３１３１５６号公報は、注文する商品に対応するバーコードをバーコード読取装置で読み取り電話回線を介してセンターに送信することで一般家庭から注文する商品の発注ができるというものである。
【０００３】
また、特開平６−７８０８４号公報には、広告や製品紹介記事の近傍に電話番号や請求番号を含むバーコードを付与しておき、このバーコードをバーコードリーダで読み取り、電話番号と請求番号をトーンで出力し、これをＦＡＸ自動送信コンピュータに伝達し、このＦＡＸ自動送信コンピュータから折り返しＦＡＸデータがこちらのＦＡＸ装置に送信されることが記載されている。
さらに、特開平７−１１４５９８号公報には、代理店に設置されたコンピュータから顧客が、顧客番号と商品カタログに記載されている商品番号を入力することで注文データが販売者側のホストコンピュータに送信されることが記載されている。
【０００４】
【発明が解決しようとする課題】
しかし、これら従来装置は、単に端末側から特定のホストに注文データを送信するのみで、例えば、一般家庭において、多様な商品についての多様な情報を簡単に入手したり、多様な商品に対するメーカからのサービスを簡単に受けるなど汎用性において不充分であった。また、例えば、商品以外に多種の文献の情報や各自治体の多様なサービスや各種サービス産業からの多様なサービスを簡単に受けるということができなかった。
【０００５】
そこで、請求項１、３及び４記載の発明は、情報を提供する情報サーバとは別にマスターファイルを備えたセンターサーバを設け、このセンターサーバのマスターファイルに情報サーバの接続情報を格納しておき、情報を必要とするリクエスタから検索コードをセンターサーバに送信することによりセンターサーバが該当する情報サーバから情報を受けてリクエスタに送信し、これにより、リクエスタは商品や各種のサービス等多様な事項についての多様な情報を簡単に入手でき、しかも、センターサーバの負担を軽減でき、汎用性を十分に向上できるネットワークシステムの情報処理方法を提供する。
【０００６】
また、請求項２記載の発明は、情報を提供する情報サーバとは別にマスターファイルを備えたセンターサーバを設け、このセンターサーバのマスターファイルに情報サーバの接続情報を格納しておき、情報を必要とするリクエスタから検索コードをセンターサーバに送信することによりセンターサーバが該当する情報サーバから情報を受けてリクエスタに提供し、これにより、リクエスタは商品や各種のサービス等多様な事項についての多様な情報を簡単に入手でき、しかも、センターサーバの負担を軽減でき、汎用性を十分に向上できるネットワークシステムの情報処理装置を提供する。
【０００８】
また、請求項５、６及び８記載の発明は、情報を提供する情報サーバとは別にマスターファイルを備えたセンターサーバ及びサブセンターサーバを設け、このセンターサーバ及びサブセンターサーバのマスターファイルに情報サーバの接続情報を格納しておき、情報を必要とするリクエスタから検索コードをセンターサーバ又はサブセンターサーバに送信することによりセンターサーバ又はサブセンターサーバが該当する情報サーバから情報を受けてリクエスタに送信し、これにより、リクエスタは商品や各種のサービス等多様な事項についての多様な情報を簡単に入手でき、しかも、センターサーバ及びサブセンターサーバの負担を軽減でき、汎用性を十分に向上できるネットワークシステムの情報処理方法を提供する。
【０００９】
また、請求項７及び９記載の発明は、情報を提供する情報サーバとは別にマスターファイルを備えたセンターサーバ及びサブセンターサーバを設け、このセンターサーバ及びサブセンターサーバのマスターファイルに情報サーバの接続情報を格納しておき、情報を必要とするリクエスタから検索コードをセンターサーバ又はサブセンターサーバに送信することによりセンターサーバ又はサブセンターサーバが該当する情報サーバから情報を受けてリクエスタに送信し、これにより、リクエスタは商品や各種のサービス等多様な事項についての多様な情報を簡単に入手でき、しかも、センターサーバ及びサブセンターサーバの負担を軽減でき、汎用性を十分に向上できるネットワークシステムの情報処理装置を提供する。
【００１１】
また、請求項１０及び１２記載の発明は、商品情報を提供する情報サーバとは別にマスターファイルを備えたセンターサーバ及びサブセンターサーバを設け、このセンターサーバ及びサブセンターサーバのマスターファイルに情報サーバの接続情報を格納しておき、商品情報を必要とするリクエスタから検索コードをセンターサーバ又はサブセンターサーバに送信することによりセンターサーバ又はサブセンターサーバが該当する情報サーバから商品情報を受けてリクエスタに送信し、これにより、リクエスタは多様な商品についての多様な情報を簡単に入手でき、しかも、センターサーバ及びサブセンターサーバの負担を軽減でき、汎用性を十分に向上できるネットワークシステムの情報処理方法を提供する。
【００１２】
また、請求項１１、１３及び１４記載の発明は、商品情報を提供する情報サーバとは別にマスターファイルを備えたセンターサーバ及びサブセンターサーバを設け、このセンターサーバ及びサブセンターサーバのマスターファイルに情報サーバの接続情報を格納しておき、商品情報を必要とするリクエスタから検索コードをセンターサーバ又はサブセンターサーバに送信することによりセンターサーバ又はサブセンターサーバが該当する情報サーバから情報を受けてリクエスタに送信し、これにより、リクエスタは多様な商品についての多様な情報を簡単に入手でき、しかも、センターサーバ及びサブセンターサーバの負担を軽減でき、汎用性を十分に向上できるネットワークシステムの情報処理装置を提供する。
【００１３】
また、請求項１５記載の発明は、商品情報を提供する情報サーバとは別にマスターファイルを備えたセンターサーバを設け、このセンターサーバのマスターファイルに情報サーバの接続情報を格納しておき、情報を必要とするリクエスタから検索バーコードシンボルを含む２次元画像データをセンターサーバに送信することにより、リクエスタはセンターサーバから情報サーバの接続情報を受け、これにより、リクエスタは、該当する情報サーバから商品情報の提供を受けることが可能となり、多様な商品についての多様な情報を簡単に入手でき、しかも、センターサーバの負担を軽減でき、汎用性を十分に向上できるネットワークシステムの情報処理方法を提供する。
【００１４】
また、請求項１６記載の発明は、商品情報を提供する情報サーバとは別にマスターファイルを備えたセンターサーバを設け、このセンターサーバのマスターファイルに情報サーバの接続情報を格納しておき、情報を必要とするリクエスタから検索バーコードシンボルを含む２次元画像データをセンターサーバに送信することにより、リクエスタはセンターサーバから情報サーバの接続情報を受け、これにより、リクエスタは、該当する情報サーバから商品情報の提供を受けることが可能となり、多様な商品についての多様な情報を簡単に入手でき、しかも、センターサーバの負担を軽減でき、汎用性を十分に向上できるネットワークシステムの情報処理装置を提供する。
【００１５】
また、請求項１７及び１９記載の発明は、商品情報を提供する情報サーバとは別にマスターファイルを備えたセンターサーバを設け、このセンターサーバのマスターファイルに情報サーバの接続情報を格納しておき、商品情報を必要とするリクエスタから検索バーコードシンボルを含む２次元画像データをセンターサーバに送信することによりセンターサーバが該当する情報サーバから商品情報を受けてリクエスタに送信し、これにより、リクエスタは多様な商品についての多様な情報を簡単に入手でき、しかも、センターサーバの負担を軽減でき、汎用性を十分に向上できるネットワークシステムの情報処理方法を提供する。
【００１６】
さらに、請求項１８及び２０記載の発明は、商品情報を提供する情報サーバとは別にマスターファイルを備えたセンターサーバを設け、このセンターサーバのマスターファイルに情報サーバの接続情報を格納しておき、商品情報を必要とするリクエスタから検索バーコードシンボルを含む２次元画像データをセンターサーバに送信することによりセンターサーバが該当する情報サーバから商品情報を受けてリクエスタに送信し、これにより、リクエスタは多様な商品についての多様な情報を簡単に入手でき、しかも、センターサーバの負担を軽減でき、汎用性を十分に向上できるネットワークシステムの情報処理装置を提供する。
【００１７】
【課題を解決するための手段】
本発明は、通信手段を備えデータの送受信が可能なセンターサーバ、情報を提供する情報サーバ、並びに情報を必要とするリクエスタをそれぞれネットワーク上に接続したネットワークシステムにおいて、情報サーバは、ユニークコードが示す情報を保持し、センターサーバは、ユニークコードと情報サーバのアドレスや電話番号等接続に必要な接続情報とファイル名を有するマスターレコードを複数格納したマスターファイルを備え、リクエスタは、検索コードを該当するセンターサーバに送信し、検索コードを受信したセンターサーバは、この検索コードと一致するユニークコードを自己のマスターファイルより検索してマスターレコードを特定し、この特定したマスターレコードから情報サーバの接続情報を取得してこの接続情報が示す情報サーバに特定したマスターレコードのファイル名を送信し、このファイル名を受信した情報サーバは、このファイル名が示す情報を該当するセンターサーバに送信し、当該センターサーバは、情報サーバから情報を受信するとこの情報を該当するリクエスタに送信し、当該リクエスタはこの情報を受信する情報処理方法にある。
【００１９】
本発明は、通信手段を備えデータの送受信が可能なセンターサーバ、情報を提供する情報サーバ、並びに情報を必要とするリクエスタをそれぞれネットワーク上に接続したネットワークシステムにおいて、情報サーバは、ユニークコードが示す情報を保持し、センターサーバは、ユニークコードと情報サーバのアドレスや電話番号等接続に必要な接続情報とファイル名を有するマスターレコードを複数格納したマスターファイルを保持するマスターファイル保持手段と、リクエスタから検索コードを受信する受信手段と、この受信手段が受信した検索コードと一致するユニークコードを自己のマスターファイルより検索してマスターレコードを特定するマスターレコード検索手段と、このマスターレコード検索手段が特定したマスターレコードから情報サーバの接続情報を取得してこの接続情報が示す情報サーバに特定したマスターレコードのファイル名を送信し、当該情報サーバから送信したファイル名が示す情報を受信する情報取得手段と、この情報取得手段が受信した情報を該当するリクエスタに送信する情報納付手段とを備え、リクエスタは、該当するセンターサーバに検索コードを送信する検索コード送信手段と、該当するセンターサーバから情報を受信する情報受信手段とを備えた情報処理装置にある。
【００４０】
【発明の実施の形態】
以下、本発明の実施の形態を図面を参照して説明する。
図１はネットワークシステム全体の構成を示すブロック図で、コンピュータ装置からなるセンターサーバ１０１、１０２、１０３、サブセンターサーバ１０７、１０８、１０９、１１３、例えば商品情報を提供する情報サーバ１０４、１０５、１０６がインターネット網１１６によって相互に接続している。なお、図はインターネット網１１６の一部を開示しているのみであるが、実際には各サーバは相互に直接アクセスできるようにインターネット網は構築されている。これら各サーバは相互に情報の提供を行うようになっている。前記各サーバは、装置識別の為の固有のアドレスを所持しており、そのアドレスは、センターサーバ１０１がserver1.co.jp 、センターサーバ１０２がserver2.co.jp 、センターサーバ１０３がserver3.co.jp 、サブセンターサーバ１０７がsub-server1.co.jp 、サブセンターサーバ１０８がsub-server2.co.jp 、サブセンターサーバ１０９がsub-server3.co.jp 、サブセンターサーバ１１３がuser.co.jp、情報サーバ１０４がb.co.jp 、情報サーバ１０５がa.co.jp 、情報サーバ１０６がc.co.jp となっている。
【００４１】
なお、情報サーバ１０４、１０５、１０６が提供する情報としては商品情報に限らず、例えば文献の内容を紹介したり、各種のレジャ情報を紹介したり、宿泊施設を紹介するなどサービス情報を提供するものであってもよい。
【００４２】
そして、前記サブセンターサーバ１０７に、リクエスタとして、例えば家庭１１７のＰＣ（パーソナルコンピュータ）１１０及びインターネット接続機能を有するテレビ１１１を接続し、前記サブセンターサーバ１０９に、リクエスタとして、例えば店舗１１８内に設置した前記サブセンターサーバ１１３を接続している。前記テレビ１１１はリモコン１１２により操作が可能になっている。前記サブセンターサーバ１１３にはＰＯＳ（販売時点情報管理）端末１１４及び情報端末１１５を接続している。
【００４３】
前記ＰＣ１１０は、サブセンターサーバ１０７にアクセスして各情報サーバ１０４〜１０６の商品情報の提供をサブセンターサーバ１０７から受けたり、各情報サーバ１０４〜１０６のアドレスを取得しこのアドレスにより各情報サーバを直接アクセスして双方向サービスを受けることが可能になっている。また、前記テレビ１１１もリモコン１１２による操作でサブセンターサーバ１０７から商品情報の提供を受けることができるようになっている。
【００４４】
図２は前記センターサーバ１０１〜１０３の構成を示すブロック図で、ＣＰＵ（中央処理装置）２０１、ＲＯＭ（リード・オンリー・メモリ）２０２、表示装置２０３、通信Ｉ／Ｆ（インターフェース）２０４、ＲＡＭ（ランダム・アクセス・メモリ）２０５、印刷装置２０６、キーボード２０７、ハードディスク装置等の外部記憶装置２０８、フロッピディスク等のプログラム記憶媒体も兼ねる記憶媒体２１０から情報を読取る記憶媒体読取装置２０９を備え、これらをバスライン２１１によって互いに接続している。
【００４５】
前記ＣＰＵ２０１は、通信Ｉ／Ｆ２０４及びキーボード２０７からデータを入力し、作業領域としてＲＡＭ２０５を使用し、外部記憶装置２０８に記憶しているファイルや通信Ｉ／Ｆ２０４を介して他のサーバから得た情報等を用いて入力データを処理し、結果を通信Ｉ／Ｆ２０４に出力したり、表示装置２０３や印刷装置２０６に出力するようになっている。これらの制御を司るＣＰＵ２０１が実行可能な命令プログラムをＲＯＭ２０２に格納しておいたり、記憶媒体読取装置２０９を用いて記憶媒体２１０から読み込みＲＡＭ２０５に格納したり、通信Ｉ／Ｆ２０４を介して受信し、ＲＡＭ２０５に格納するようになっている。
【００４６】
図３は前記サブセンターサーバ１０７〜１０９、１１３の構成を示すブロック図で、センターサーバと同様、ＣＰＵ３０１、ＲＯＭ３０２、表示装置３０３、通信Ｉ／Ｆ３０４、ＲＡＭ３０５、印刷装置３０６、キーボード３０７、外部記憶装置３０８、プログラム記憶媒体も兼ねる記憶媒体３１０から情報を読取る記憶媒体読取装置３０９を備え、これらをバスライン３１１によって接続している。
【００４７】
前記ＣＰＵ３０１は、通信Ｉ／Ｆ３０４及びキーボード３０７からデータを入力し、作業領域としてＲＡＭ３０５を使用し、外部記憶装置３０８に記憶しているファイルや通信Ｉ／Ｆ３０４を介して他のサーバから得た情報等を用いて入力データを処理し、結果を通信Ｉ／Ｆ３０４に出力したり、表示装置３０３や印刷装置３０６に出力するようになっている。これらの制御を司るＣＰＵ３０１が実行可能な命令プログラムをＲＯＭ３０２に格納しておいたり、記憶媒体読取装置３０９を用いて記憶媒体３１０から読み込みＲＡＭ３０５に格納したり、通信Ｉ／Ｆ３０４を介して受信し、ＲＡＭ３０５に格納するようになっている。
【００４８】
図４は前記情報サーバ１０４〜１０６の構成を示すブロック図で、これもセンターサーバと同様、ＣＰＵ４０１、ＲＯＭ４０２、表示装置４０３、通信Ｉ／Ｆ４０４、ＲＡＭ４０５、印刷装置４０６、キーボード４０７、外部記憶装置４０８、プログラム記憶媒体も兼ねる記憶媒体４１０から情報を読取る記憶媒体読取装置４０９を備え、これらをバスライン４１１によって接続している。
【００４９】
前記ＣＰＵ４０１は、通信Ｉ／Ｆ４０４及びキーボード４０７からデータを入力し、作業領域としてＲＡＭ４０５を使用し、外部記憶装置４０８に記憶しているファイルや通信Ｉ／Ｆ４０４を介して他のサーバから得た情報等を用いて入力データを処理し、結果を通信Ｉ／Ｆ４０４に出力したり、表示装置４０３や印刷装置４０６に出力するようになっている。これらの制御を司るＣＰＵ４０１が実行可能な命令プログラムをＲＯＭ４０２に格納しておいたり、記憶媒体読取装置４０９を用いて記憶媒体４１０から読み込みＲＡＭ４０５に格納したり、通信Ｉ／Ｆ４０４を介して受信し、ＲＡＭ４０５に格納するようになっている。
【００５０】
図５は、リクエスタ装置を構成する前記ＰＣ１１０のブロック図で、ＣＰＵ５０１、ＲＯＭ５０２、表示装置５０３、通信Ｉ／Ｆ５０４、バーコードスキャナー５０５、ＲＡＭ５０６、印刷装置５０７、キーボード５０８、ＣＣＤカメラ５０９、プログラム記憶媒体も兼ねる記憶媒体５１１から情報を読取る記憶媒体読取装置５１０を備え、これらをバスライン５１２によって接続している。
【００５１】
前記ＣＰＵ５０１は、キーボード５０８やバーコードスキャナー５０５から商品の商品コードの入力があると、また、ＣＣＤカメラ５０９から図１４に示したようなバーコードシンボルを含む２次元画像データの入力があると、通信Ｉ／Ｆ５０４を介して前記センターサーバ１０１〜１０３やサブセンターサーバ１０７〜１０９に問合わせを行って商品情報を入手し、入手した商品情報を表示装置５０３に表示したり、印刷装置５０７で印刷したりする。また、情報サーバ１０４〜１０６に直接アクセスして双方向サービスを受けることができる。これらの制御を司るＣＰＵ５０１が実行可能な命令プログラムをＲＯＭ５０２に格納しておいたり、記憶媒体読取装置５１０を用いて記憶媒体５１１から読み込みＲＡＭ５０６に格納したり、通信Ｉ／Ｆ５０４を介して受信し、ＲＡＭ５０６に格納するようになっている。
【００５２】
図６は、前記センターサーバ１０１〜１０３の外部記憶装置２０８及び前記サブセンターサーバ１０７〜１０９、１１３の外部記憶装置３０８に設けたマスターファイル６００の構成を示し、このマスターファイル６００は、商品コード格納部６０１、レコード数格納部６０２、情報種別格納部６０３、種別とアドレスからなる接続情報の格納部６０４、ファイル名格納部６０５、同期ビット列格納部６０６からなり、前記情報種別格納部６０３、接続情報格納部６０４、ファイル名格納部６０５及び同期ビット列格納部６０６で１つのマスターレコードを構成し、１つの商品コードに対してレコード数格納部６０２に格納したレコード数分のマスターレコードを格納している。図では、商品コード「0000100001」についてはレコード数が「５」で、従って、５つのマスターレコードを格納している。
【００５３】
図７は、同じく外部記憶装置２０８、３０８に設けた企業ファイル６１０の構成を示し、この企業ファイル６１０は、企業コード格納部６１１とサーバアドレス格納部６１２からなり、１つの企業コードに対し１又は複数のサーバーアドレスを格納している。
図８は、同じく外部記憶装置２０８、３０８に設けたドメインファイル６２０の構成を示し、このドメインファイル６２０は、複数のサーバーアドレスを格納している。
【００５４】
図９は、同じく外部記憶装置２０８、３０８に設けた参照メモリ６３０の構成を示し、この参照メモリ６３０は、商品コード格納部６３１、レコード数格納部６３２、情報種別格納部６３３及び参照カウンタ６３４からなり、前記情報種別格納部６３３と参照カウンタ６３４で１つのレコードを構成し、１つの商品コードに対してレコード数格納部６３２に格納したレコード数分のレコードを格納している。図では、商品コード「0000100001」についてはレコード数が「５」で、従って、５つのレコードを格納している。
【００５５】
前記マスターファイル６００の情報種別格納部６０３と前記参照メモリ６３０の情報種別格納部６３３に格納する情報種別は、例えば「１」〜「６」の６通りに種別され、「１」は広告データを定義し、「２」は製品マニュアルを定義し、「３」は修理依頼方法を定義し、「４」は発注方法を定義し、「５」はリサイクル指示書を定義し、「６」は廃棄処理指示書を定義している。
【００５６】
図１０は、前記センターサーバ１０１〜１０３のＲＡＭ２０５及び前記サブセンターサーバ１０７〜１０９、１１３のＲＡＭ３０５に設けたサブセンターサーバ記憶部６４０の構成を示し、このサブセンターサーバ記憶部６４０は、ステータス格納部６４１とサーバアドレス格納部６４２からなり、サーバアドレス格納部６４２にサーバアドレスが格納されているときにはステータスが「１」、サーバアドレスが格納されていないときにはステータスが「０」になる。
【００５７】
図１１は、バーコードシンボルの一例を示し、図１２は、商品コードの構成例を示している。この商品コードは共通商品コードで、５桁の商品メーカ識別コード、いわゆる企業コードと、５桁の商品アイテム識別コードからなる。
図１３は、リクエスタである前記ＰＣ１１０やテレビ１１１から前記サブセンターサーバ１０７に商品コードで商品情報を問い合わせるときに使用する検索コードの構成を示し、数字「１」が固定的にセットされる入力種別６５１と、コード部のバイト数を示すバイト数６５２と、商品コードを示すコード６５３とで構成している。
【００５８】
図１４は、前記ＰＣ１１０及びテレビ１１１から前記サブセンターサーバ１０７に画像データで商品情報を問い合わせるときに使用する２次元画像の構成を示し、具体的にはＣＣＤカメラ５０９などから２次元画像データを読み込むと、図１５に示す構成のデータとして問合わせを行う。すなわち、このデータは、数字「２」が固定的にセットされる入力種別６６１と、画像部のバイト数を示すバイト数６６２と、画像の圧縮有無６６３と、画像の階調数６６４と、ピクセル数で示す画像の幅６６５と、ピクセル数で示す画像の高さ６６６と、画像の分解能をＤＰＩ（ドット／インチ）で示す解像度６６７と、読み込んだ画像情報６６８とで構成している。
【００５９】
図１６は、前記ＰＣ１１０及びテレビ１１１から前記サブセンターサーバ１０７に商品情報を問い合わせるときに使用する検索種別データの構成を示し、商品情報を必要とするのか接続情報を必要とするのかを示す選択コード６７１と、前記において定義した情報種別の内容を指定するかどうかを示す種別フラッグ６７２と、この種別フラッグ６７２で情報コード有りを指定したとき有効となる情報コード６７３とで構成している。なお、選択コード６７１は、「１」のとき情報選択を示し、「２」のとき接続情報選択を示す。また、種別フラッグ６７２は、「０」のとき情報コードありを示し、「１」のとき情報コード無しを示す。
【００６０】
図１７は、前記ＰＣ１１０、テレビ１１１、センターサーバ１０１、１０２、１０３及びサブセンターサーバ１０７、１０８、１０９、１１３から前記センターサーバ１０１、１０２、１０３及びサブセンターサーバ１０７、１０８、１０９、１１３に商品情報を問い合わせるときに使用する委託電文フォーマットを示し、この委託電文フォーマットは、委託電文を示す数字「１」が固定的にセットされる電文種別６８１と、電文のバイト数６８２と、委託番号６８３と、検索種別の指定有無を示す検索フラッグ６８４と、検索コード又は検索画像６８５と、検索種別６８６とで構成している。なお、検索フラッグ６８４は、「０」のとき検索種別無しを示し、「１」のとき検索種別ありを示す。
【００６１】
図１８は、前記センターサーバ１０１、１０２、１０３及びサブセンターサーバ１０７、１０８、１０９、１１３が前記情報サーバ１０４、１０５、１０６から商品情報を取り寄せるとき使用するファイル名電文フォーマットを示し、このファイル名電文フォーマットは、ファイル名電文を示す数字「２」が固定的にセットされる電文種別６９１と、電文のバイト数６９２と、委託番号６９３と、ファイル名６９４とで構成している。
【００６２】
図１９は、前記情報サーバ１０４、１０５、１０６から前記ＰＣ１１０、テレビ１１１、センターサーバ１０１、１０２、１０３及びサブセンターサーバ１０７、１０８、１０９、１１３に商品情報を送信するとき使用する商品情報電文フォーマットを示し、この商品情報電文フォーマットは、商品情報電文を示す数字「３」が固定的にセットされる電文種別７０１と、電文のバイト数７０２と、委託番号７０３と、商品情報７０４とで構成している。
【００６３】
図２０は、前記センターサーバ１０１、１０２、１０３及びサブセンターサーバ１０７、１０８、１０９、１１３が前記ＰＣ１１０、テレビ１１１、センターサーバ１０１、１０２、１０３及びサブセンターサーバ１０７、１０８、１０９、１１３に接続情報を送信するとき使用する接続情報電文フォーマットを示し、この接続情報電文フォーマットは、接続情報電文を示す数字「４」が固定的にセットされる電文種別７１１と、電文のバイト数７１２と、委託番号７１３と、接続情報７１４とで構成している。
【００６４】
図２１は、前記センターサーバ１０１、１０２、１０３及びサブセンターサーバ１０７、１０８、１０９、１１３が前記サブセンターサーバ１０７、１０８、１０９、１１３に各種ファイルを送信するとき使用するファイル送信電文フォーマットを示し、このファイル送信電文フォーマットは、ファイル送信電文を示す数字「５」が固定的にセットされる電文種別７２１と、マスターファイルのバイト数を示すマスターファイルバイト数７２２と、企業ファイルのバイト数を示す企業ファイルバイト数７２３と、ドメインファイルのバイト数を示すドメインファイルバイト数７２４と、マスターファイル７２５と、企業ファイル７２６と、ドメインファイル７２７とで構成している。
【００６５】
図２２は、前記センターサーバ１０１、１０２、１０３及びサブセンターサーバ１０７、１０８、１０９、１１３が前記サブセンターサーバ１０７、１０８、１０９、１１３にマスターレコードを送信するとき使用するマスターレコード送信電文フォーマットを示し、このマスターレコード送信電文フォーマットは、マスターレコード送信電文を示す数字「６」が固定的にセットされる電文種別７３１と、電文のバイト数７３２と、商品コード７３３と、レコード数７３４と、情報種別７３５と、種別及びアドレスから成る接続情報７３６と、ファイル名７３７とで構成している。
【００６６】
図２３は、前記センターサーバ１０１、１０２、１０３及びサブセンターサーバ１０７、１０８、１０９、１１３が前記サブセンターサーバ１０７、１０８、１０９、１１３にサブセンターサーバプログラムを送信するとき使用するサブセンターサーバプログラム電文フォーマットを示し、このサブセンターサーバプログラム電文フォーマットは、サブセンターサーバプログラム電文を示す数字「７」が固定的にセットされる電文種別７４１と、プログラムのバイト数７４２と、命令プログラム及びデータからなるサブセンターサーバプログラム７４３とで構成している。
【００６７】
図２４は、前記センターサーバ１０１、１０２、１０３及びサブセンターサーバ１０７、１０８、１０９、１１３が前記ＰＣ１１０及びテレビ１１１にリクエスタプログラムを送信するとき使用するリクエスタプログラム電文フォーマットを示し、このリクエスタプログラム電文フォーマットは、リクエスタプログラム電文を示す数字「８」が固定的にセットされる電文種別７５１と、プログラムのバイト数７５２と、命令プログラム及びデータからなるリクエスタプログラム７５３とで構成している。
【００６８】
図２５は、前記センターサーバ１０１、１０２、１０３の外部記憶装置２０８に設けたマスターファイル６００の更新処理を行うプログラムの動作を示すフローチャートで、先ず、Ｓ 1にて、センターサーバのキーボード２０７から商品コードを入力するとこの商品コードをメモリＣＯＤＥにセットする。そして、Ｓ 2にて、前記マスターファイル６００からメモリＣＯＤＥにセットした商品コードを検索する。
【００６９】
入力した商品コードが無いときは新規レコードの入力と判断し、Ｓ 3にて、新規データとしてマスターファイルの情報種別、接続情報、ファイル名を入力し、Ｓ 4にて、前記マスターファイル６００の情報種別格納部６０３、接続情報格納部６０４、ファイル名格納部６０５に入力した情報種別、接続情報、ファイル名をそれぞれ格納して新規レコードを作成追加する。また、入力した商品コードがあるときは、Ｓ 5にて、既存データの内容を表示装置２０３に表示し、Ｓ 6にて、変更内容を入力する。
【００７０】
そして、Ｓ 7にて、入力した内容を判断し、レコードの削除のときは、Ｓ 8にて、指定レコードの情報種別に「０」をセットする。また、レコードの削除でなければ、続いて、Ｓ 9にて、更新内容が新しい情報種別の追加か否かを判断し、新しい情報種別の追加であれば、Ｓ10にて、新たな情報種別、接続情報、ファイル名の入力により新規レコードを作成し、マスターファイル６００にこの新規レコードを追加する。また、新しい情報種別の追加でなければ、既存の情報種別、接続情報、ファイル名の変更入力と判断し、Ｓ11にて、入力内容を既存レコードに上書きする。
【００７１】
以上の一連の処理を行った後、最後に、Ｓ12にて、追加又は新規作成若しくは削除したレコードの同期ビット列に対し、前記サブセンターサーバ記憶部６４０に記憶したサーバーに該当する同期ビットをオンしてこのマスターファイルの更新処理を終了する。
【００７２】
図２６は、前記センターサーバ１０１、１０２、１０３及びサブセンターサーバ１０７、１０８、１０９、１１３が通信Ｉ／Ｆ２０４及び通信Ｉ／Ｆ３０４で受信した電文の処理を行うプログラムの動作を示すフローチャートで、先ず、Ｓ21にて、電文を受信し、Ｓ22にて、電文種別で処理を分類する。電文種別が「１」の時、Ｓ23にて、委託電文（図１７）であると判断し、Ｓ24にて、電文から検索コード（図１３）か検索画像（図１５）かの入力種別を判断し、入力種別が画像を意味する「２」のときには検索画像であると認識し、Ｓ25にて、バーコードシンボル部を抽出し、検索すべきコードにデコードする。
【００７３】
続いて、Ｓ26にて、検索コードのときにはコード６５３で、また、検索画像のときにはデコードした検索コードで、マスターファイル６００の商品コードを検索し、Ｓ27にて、該当する商品コードがあるマスターレコード群が存在するかどうか判断する。存在していれば、Ｓ28にて、委託電文（図１７）の検索種別６８６の情報種別（情報コード）６７３でマスターレコード群を検索し、Ｓ29にて、情報種別（情報コード）６７３がマスターレコード群に存在するか否かを判断する。
【００７４】
マスターレコード群が存在したときは、Ｓ30にて、委託電文の検索種別６８６の選択コード６７１を検査し、選択コードが「２」であれば、Ｓ31にて、接続情報電文（図２０）を作成し、Ｓ32にて、作成した接続情報電文をリクエスタに送信する。そして、Ｓ33にて、当該商品コードの情報種別に対応する参照メモリ６３０内の参照カウンタ６３４をインクリメントしてこの受信電文処理を終了する。また、選択コードが「１」であれば、Ｓ34にて、該当するマスターレコードのファイル名６０５を取り出してファイル名電文（図１８）を作成し、Ｓ35にて、このマスターレコードの接続情報６０４が示す情報サーバに作成したファイル名電文を送信し、Ｓ36にて、この情報サーバから商品情報電文（図１９）を受信し、Ｓ37にて、この受信した商品情報電文を該当するリクエスタに送信する。そして、Ｓ33にて、当該商品コードの情報種別に対応する参照メモリ６３０内の参照カウンタ６３４をインクリメントしてこの受信電文処理を終了する。
【００７５】
また、Ｓ27にて、該当する商品コードがあるマスターレコード群が存在しない場合、あるいはＳ29にて、情報種別（情報コード）６７３がマスターレコード群に存在しない場合は、Ｓ38にて、コード６５３（検索コードのとき）又はデコードした検索コード（検索画像のとき）を商品コードに照らし合わせ、商品コード内の企業コード（商品メーカ識別コード）を抽出し、Ｓ39にて、この抽出した企業コードで企業ファイル６１０を検索し、Ｓ40にて、同一企業が存在するか否か判断する。
【００７６】
そして、同一企業が存在するときは、Ｓ41にて、企業ファイル６１０のサーバアドレス６１２のサーバに対して受信した委託電文を送信し、Ｓ42にて、応答の電文を受信して電文種別が「３」か「４」かを判断する。受信した電文種別が「３」か「４」のときは、Ｓ43にて、その受信した電文をそのままリクエスタに送信してこの受信電文処理を終了する。また、同一企業が存在しないとき、あるいは受信した電文種別が「３」でも「４」でも無いときには、Ｓ44にて、ドメインファイル６２０のサーバに受信した委託電文を送信し、Ｓ45にて、応答の電文を受信して電文種別が「３」か「４」かを判断する。受信した電文種別が「３」か「４」のときは、Ｓ43にて、その受信した電文をそのままリクエスタに送信してこの受信電文処理を終了する。また、電文種別が「３」でも「４」でも無いときには、Ｓ46にて、リクエスタにエラーを通知してこの受信電文処理を終了する。
【００７７】
また、Ｓ22での電文種別の処理分類において、委託電文（図１７）の電文種別が「３」又は「４」のときは、Ｓ47にて、電文をそのまま破棄し終了する。また、Ｓ22での電文種別の処理分類において、委託電文（図１７）の電文種別が「８」のときは、Ｓ48にて、リクエスタプログラム電文（図２４）を作成し、Ｓ49にて、リクエスタにその作成したリクエスタプログラム電文を送信する。
【００７８】
図２７は、前記センターサーバ１０１、１０２、１０３及びサブセンターサーバ１０７、１０８、１０９、１１３がサブセンターサーバにメンテナンスを実行させるためのタスク処理を行うプログラムの動作を示すフローチャートで、Ｓ51にて、前記キーボード２０７及びキーボード３０７によりサブセンターサーバ設定処理が呼び出されると、Ｓ52にて、前記キーボード２０７，３０７によりサブセンターサーバアドレスを入力する。これにより、Ｓ53にて、マスターファイル６００、企業ファイル６１０、ドメインファイル６２０を外部記憶装置２０８及び外部記憶装置３０８から読み出し、同期ビットをクリアし、ファイル送信電文（図２１）を作成し、Ｓ54にて、この作成したファイル送信電文を入力されたサブセンターサーバアドレスに送信し、このサブセンターサーバのメンテナンス処理を終了する。
【００７９】
また、Ｓ55にて、前記キーボード２０７及びキーボード３０７によりサブセンターサーバプログラム送信処理が呼び出されると、Ｓ56にて、サブセンターサーバプログラム電文（図２３）を作成し、Ｓ57にて、指定のサブセンターサーバアドレスに作成したサブセンターサーバプログラム電文を送信し、このサブセンターサーバのメンテナンス処理を終了する。
【００８０】
また、Ｓ58にて、時間監視等により定期的に同期処理が呼び出されると、Ｓ59にて、カウンタＣを０にクリアし、Ｓ60にて、カウンタＣをインクリメントするとともにカウンタＲを０にクリアし、Ｓ61にて、カウンタＲをインクリメントする。そして、Ｓ62にて、カウンタＣの値が示すＣ番目のマスターレコードを読み込み、Ｓ63にて、カウンタＲの値が示すＲ番目の同期ビットがオンか否かを判断する。そして、Ｒ番目の同期ビットがオンのときには、Ｓ64にて、マスターレコード送信電文（図２２）を作成し、Ｓ65にて、作成したマスターレコード送信電文を、同期ビットに対応する所定のサブセンターサーバアドレスをサブセンターサーバ記憶部６４０から取得してそのサブセンターサーバアドレスに送信し、Ｓ66にて、同期ビットをクリアする。そして、Ｓ67にて、全ての同期ビットを検査したか否かを判断する。また、Ｒ番目の同期ビットがオンになっていないときには、Ｓ67にて、全ての同期ビットを検査したか否かを判断する。
【００８１】
そして、全ての同期ビットを検査していなければ、再度、Ｓ61にて、カウンタＲをインクリメントして同様の処理を繰り返す。また、全ての同期ビットの検査が終了すると、続いて、Ｓ68にて、全てのレコードを検査したか否かを判断する。全てのレコードを検査していなければ、再度、Ｓ60にて、カウンタＣをインクリメントするとともにカウンタＲを０にクリアして同様の処理を繰り返す。そして、全てのレコードの検査が終了すると、このサブセンターサーバのメンテナンス処理を終了する。すなわち、この同期処理では、マスターファイル６００内の全てのレコードの全ての同期ビットを検査し、オンのマスターレコードについてはマスターレコード送信電文を作成し、同期ビットに対応する所定のサブセンターサーバアドレスをサブセンターサーバ記憶部６４０から取得し、そのサブセンターサーバアドレスにマスターレコード送信電文を送信して同期ビットをクリアするという処理を繰り返すことになる。
【００８２】
図２８は、前記サブセンターサーバ１０７、１０８、１０９、１１３がメンテナンスを実行するためのタスク処理を行うプログラムの動作を示すフローチャートで、ここでは、電文種別５のファイル送信電文（図２１）の受信処理、電文種別７のサブセンターサーバプログラム送信電文（図２３）の受信処理、電文種別６のマスターレコード送信電文（図２２）の受信処理を行う。
【００８３】
電文種別５のファイル送信電文の受信処理は、先ず、Ｓ71にて、ファイル送信電文を受信し、Ｓ72にて、この受信したファイル送信電文のマスターファイル部７２５をマスターファイルとして前記外部記憶装置３０８に記憶し、Ｓ73にて、企業ファイル部７２６を企業ファイルとして外部記憶装置３０８に記憶し、Ｓ74にて、ドメインファイル部７２７をドメインファイルとして外部記憶装置３０８に記憶し、Ｓ75にて、サブセンターサーバ記憶部６４０のサーバアドレスに対して受信したファイル送信電文を送信してこのファイル送信電文の受信処理を終了する。
【００８４】
また、電文種別７のサブセンターサーバプログラム送信電文の受信処理は、先ず、Ｓ76にて、サブセンターサーバプログラム送信電文を受信し、Ｓ77にて、既にサブセンターサーバが実行しているサブセンターサーバプログラムが存在するときはこのプログラムのサービスを停止し、Ｓ78にて、受信したサブセンターサーバプログラム送信電文のプログラムをＲＡＭ３０５の所定のプログラム記憶領域にセットし、Ｓ79にて、このセットしたプログラムを起動してこのサブセンターサーバプログラム送信電文の受信処理を終了する。
【００８５】
また、電文種別６のマスターレコード送信電文の受信処理は、先ず、Ｓ80にて、マスターレコード送信電文を受信し、Ｓ81にて、このマスターレコードで外部記憶装置３０８に記憶しているマスターファイルを更新し、Ｓ82にて、記憶したマスターレコードの同期ビットに関し、サブセンターサーバ記憶部６４０のサーバに対応する同期ビットを全てオンしてこのマスターレコード送信電文の受信処理を終了する。
【００８６】
図２９は、前記センターサーバ１０１、１０２、１０３及びサブセンターサーバ１０７、１０８、１０９、１１３が前記参照メモリ６３０の参照カウンタ６３４の出力処理を実行するプログラムの動作を示すフローチャートで、これは、参照メモリ６３０から予め指定された企業コードの商品コード全ての参照回数を出力するための処理であり、先ず、Ｓ91にて、カウンタＣを０にクリアし、Ｓ92にて、カウンタＣをインクリメントするとともにカウンタＲを０クリアする。そして、Ｓ93にて、図３０に示す出力指定企業コードテーブル７６０のカウンタＣの値が示すＣ番目の企業コードに対し、参照メモリ６３０から該当する商品コードに対応したマスターレコード群を検索し、Ｓ94にて、情報レコード群の各レコードの参照回数を合計し、Ｓ95にて、この合計値をカウンタＲに加算する。そして、Ｓ96にて、全ての商品コードについて検査したか否かをチェックし、検査していなければ、再度、Ｓ93〜Ｓ95の処理を繰り返す。また、全ての商品コードについて検査が終了すれば、Ｓ97にて、企業コード、参照回数Ｒ、この参照回数Ｒに所定の単価を乗じた請求金額を印刷装置２０６、３０６で印刷し、これを全ての指定企業コードについて終了すると、Ｓ98にて、排紙、すなわち、図３１に示すような出力レポートを発行してこの参照回数出力処理を終了する。
【００８７】
図３２は、前記情報サーバ１０４、１０５、１０６が実行する商品情報送信処理のプログラムの動作を示すフローチャートで、先ず、Ｓ101 にて、電文種別２のファイル名電文（図１８）を受信し、この電文からファイル名６９４を取得する。そして、Ｓ102 にて、情報サーバーの外部記憶装置４０８にこのファイル名６９４が存在するか否かを検査し、存在しないときは、Ｓ103 にて、エラーを送信してこの商品情報送信処理を終了する。また、存在するときは、Ｓ104 にて、商品情報電文（図１９）を作成し、Ｓ105 にて、この商品情報電文を送信してこの商品情報送信処理を終了する。
【００８８】
図３３は、リクエスタである前記ＰＣ１１０が実行するプログラムの動作を示すフローチャートで、先ず、Ｓ111 にて、所定のセンターサーバ若しくはサブセンターサーバに接続し、Ｓ112 にて、リクエスタプログラム電文（図２４）を受信し、該当するプログラムを呼び出す。そして、前記ＰＣ１１０はこのプログラムに基づいて処理を実行する。このプログラムは、先ず、Ｓ113 にて、表示装置５０３に、図３４に示すような内容のメニューを表示する。すなわち、メッセージ文５０３ａ、５０３ｂ、５０３ｃと、商品コード入力方式選択メニュー５０３ｄ、５０３ｅ、５０３ｆと、前記キーボード５０８からのコード入力エリア５０３ｇと、前記バーコードスキャナ５０５からの読み込み処理起動ボタン５０３ｈと、入力したコードを表示するコード確認エリア５０３ｉと、前記ＣＣＤカメラ５０９からの画像読み込み処理起動ボタン５０３ｊと、読み込んだ画像を表示する画像確認エリア５０３ｋと、情報種別選択メニュー５０３ｌ、５０３ｍ、５０３ｎ、５０３ｏと、委託電文を送信するサービススタートボタン５０３ｐからなるウィンドウ画面として表示する。
【００８９】
このメニュー画面において、商品コード入力方式選択メニューのキーボード５０３ｄを選択したときは、Ｓ114 にて、キーボード入力を可能にし、Ｓ115 にて、コード入力エリア５０３ｇでコード入力し、また、商品コード入力方式選択メニューのスキャナ指定５０３ｅを選択したときは、Ｓ116 にて、スキャナ入力を可能にし、Ｓ117 にて、スキャナからの読み込み処理起動ボタン５０３ｈの押下待ちになり、Ｓ118 にて、起動ボタン５０３ｈの押下があると、前記バーコードスキャナ５０５からバーコードシンボルをスキャンしデコードしたコードを読み込みコード確認エリア５０３ｉにこの読み込んだコードを表示する。そして、コードをキーボード入力したり、バーコードスキャナ５０５で入力したときには、Ｓ119 にて、図１４に示す検索コードデータ形式及び図１７に示す委託電文フォーマット形式で委託電文を作成する。さらに、メニュー画面において、商品コード入力方式選択メニューの画像入力５０３ｆを選択したときは、Ｓ120 にて、前記ＣＣＤカメラ５０９からの画像入力を可能にし、Ｓ121 にて、読み込み処理起動ボタン５０３ｊの押下待ちになり、Ｓ122 にて、前記ＣＣＤカメラ５０９から画像を読み込んで画像確認エリア５０３ｋに表示し、Ｓ123 にて、図１５に示す２次元画像データ形式及び図１７に示す委託電文フォーマット形式で委託電文を作成する。
【００９０】
こうして、委託電文の作成を行うと、Ｓ124 にて、作成した委託電文を接続中のセンターサーバあるいはサブセンターサーバに送信し、Ｓ125 にて、応答の電文を受信する。そして、Ｓ126 にて、受信した電文の電文種別を判断し、電文種別が「３」のときは、商品情報電文（図１９）として、Ｓ127 にて、この電文から商品情報を取得してメインプログラムに渡し、Ｓ128 にて、メインプログラムにより前記表示装置５０３か印刷装置５０７に出力してこの処理を終了する。また、電文種別が「４」のときは、接続情報電文（図２０）として、Ｓ129 にて、この電文から接続情報を取得してメインプログラムに渡し、Ｓ130 にて、メインプログラムによりこの接続情報が示す情報サーバに接続してこの処理を終了する。さらに、電文種別が「３」でも「４」でも無いときは、エラーをメインプログラムに通知し、Ｓ131 にて、メインプログラムによりエラー表示してこの処理を終了する。
【００９１】
図３５は、リクエスタを構成する前記テレビ１１１のブロック図で、ＣＰＵ７７１、ＲＯＭ７７２、表示装置７７３、通信Ｉ／Ｆ７７４、ＲＡＭ７７５、ＵＨＦ／ＶＨＦ受信部７７６、赤外線通信Ｉ／Ｆ７７７を備え、これらをバスライン７７８によって接続している。
【００９２】
このテレビ１１１は、前記ＵＨＦ／ＶＨＦ受信部７７６で受信した放送波を表示装置７７３に表示する。また、前記ＣＰＵ７７１は、前記赤外線通信Ｉ／Ｆ７７７から商品の商品コード及び操作コマンドを入力し、前記通信Ｉ／Ｆ７７４を介してセンターサーバ及びサブセンターサーバに接続して商品情報を入手し、この入手した商品情報を前記表示装置７７３に表示する。あるいは、情報サーバに接続して双方向サービスを受ける。これらの制御を司るＣＰＵ７７１が実行可能な命令プログラムをＲＯＭ７７２に格納しておいたり、あるいは通信Ｉ／Ｆ７７４を介して受信し、ＲＡＭ７７５に格納する。
【００９３】
図３６は、前記テレビ１１１にコード及び操作コマンドを送信する前記リモコン１１２の構成を示すブロック図で、ＣＰＵ７８１、ＲＯＭ７８２、ブザー７８３、赤外線通信Ｉ／Ｆ７８４、ＲＡＭ７８５、発光ダイオード７８６、キーボード７８７を備え、これらをバスライン７８８によって接続している。前記リモコン１１２は、図３７に示すように、筐体７８９の表面に前記キーボード７８７及び発光ダイオード７８６を設け、先端面に前記赤外線通信Ｉ／Ｆ７８４の発光部７８４ａと受光部７８４ｂを設けている。前記キーボード７８７は、０〜１２の数字キー７８７ａ、バーコードセンター呼び出しキー７８７ｂ、スキャンキー７８７ｃ、コード入力キー７８７ｄ、コマーシャル呼び出しキー７８７ｅ、コード送信キー７８７ｆを設けている。
【００９４】
前記ＣＰＵ７８１は、前記キーボード７８７あるいは赤外線通信Ｉ／Ｆ７８４から商品の商品コードを入力すると、ブザー７８３を鳴らし、発光ダイオード７８６を点灯し、赤外線通信Ｉ／Ｆ７８４を介して前記テレビ１１１に商品コードを送信する。また、前記ＣＰＵ７８１は、前記キーボード７８７から操作コマンドを入力すると、赤外線通信Ｉ／Ｆ７８４を介してテレビ１１１に操作コマンドを送信する。これらの制御を司る前記ＣＰＵ７８１が実行可能な命令プログラムはＲＯＭ７８２に格納している。
【００９５】
図３８は、前記テレビ１１１が実行するプログラムの動作を示すフローチャートで、前記リモコン１１２からバーコードセンター呼び出しの指示を受信すると、Ｓ141 にて、所定のセンターサーバあるいはサブセンターサーバに接続し、Ｓ142 にて、このセンターサーバあるいはサブセンターサーバからリクエスタープログラム電文（図２４）を受信し、該当するプログラムを呼び出す。そして、Ｓ143 にて、接続完了メッセージを表示し、リモコン１１２からの入力待ち状態となる。この状態で、Ｓ144 にて、リモコン１１２からコード入力コマンドを受信すると、Ｓ145 にて、前記リモコン１１２から検索コードを受信する。また、Ｓ146 にて、リモコン１１２からコマーシャル呼び出しコマンドを受信すると、Ｓ147 にて、受信中の放送電波の文字放送領域からコードを受信する。
【００９６】
研鑽コードの受信、又は文字放送領域からのコードの受信を行うと、続いて、Ｓ148 にて、図１４に示す検索コードデータ形式及び図１７に示す委託電文フォーマット形式で委託電文を一時記憶したコードを用いて作成し、Ｓ149 にて、接続しているセンターサーバあるいはサブセンターサーバに送信し、Ｓ150 にて、このセンターサーバあるいはサブセンターサーバから応答電文を受信し、Ｓ151 にて、受信した電文種別を判断する。そして、受信した電文種別が「３」のときは，商品情報電文（図１９）として、Ｓ152 にて、この電文から商品情報を取得してメインプログラムに渡し、Ｓ153 にて、メインプログラムにより前記表示装置７７３に出力してこの処理を終了する。また、電文種別が「４」のときは、接続情報電文（図２０）として、Ｓ154 にて、この電文から接続情報を取得してメインプログラムに渡し、Ｓ155 にて、メインプログラムによりこの接続情報が示す情報サーバに接続してこの処理を終了する。さらに、電文種別が「３」でも「４」でも無いときは、エラーをメインプログラムに通知し、Ｓ156 にて、メインプログラムによりエラー表示してこの処理を終了する。
【００９７】
図３９は、前記リモコン１１２が実行するプログラムの動作を示すフローチャートで、先ず、Ｓ161 にて、キーボード７８７からの通常キーの押下を待ち、キーが入力されると、Ｓ162 にて、キー種別を判断する。そして、前記バーコードセンター呼び出しキー７８７ｂが押下されると、Ｓ163 にて、バーコードセンター呼び出しコマンドを赤外線通信Ｉ／Ｆ７８４を使用してテレビ１１１に送信する。また、前記スキャンキー７８７ｃが押下されると、Ｓ164 にて、１秒間受光部７８４ｂの受信回路を作動させ、Ｓ165 にて、１秒間発光部７８４ａからスキャン発光し、Ｓ166 にて、受光部７８４ｂで受信した反射波を読み取ってディジタル化し、Ｓ167 にて、デコード処理する。そして、Ｓ168 にて、チェックデェジットを検査し、コードが正常であれば、Ｓ169 にて、前記ブザー７８３にて短音を発信し、前記発光ダイオード７８６をデータ保持ランプとして点灯し、コードを記憶する。また、コードがエラーときは、Ｓ170 にて、前記ブザー７８３からエラー音を発信する。
【００９８】
また、コード入力キー７８７ｄでは、前記数字キー７８７ａとコード入力キー７８７ｄの入力のみを可能にし、コード入力キー７８７ｄを押下するまで、Ｓ171 にて、入力した数字キー７８７ａをコードの１桁として記憶して発光ダイオード７８６を点灯し、コード入力キー７８７ｄの押下があると、コードを一時記憶する。この状態で、コマーシャル呼び出しキー７８７ｅを押下すると、Ｓ172 にて、コマーシャル呼び出しコマンドを前記赤外線通信Ｉ／Ｆ７８４を使用してテレビ１１１に送信し、この状態で、さらにコード送信キー７８７ｆを押下すると、Ｓ173 にて、記憶しているコード送信コマンドとコードを赤外線通信Ｉ／Ｆ７８４を使用してテレビ１１１に送信し、発光ダイオード７８６を消灯する。
【００９９】
このような構成においては、例えばリクエスタであるＰＣ１１０を所定のセンターサーバ１０１〜１０３又はサブセンターサーバ１０７〜１０９，１１３に接続してこのサーバからのリクエスタプログラムの受信に待機する。この状態で所定のセンターサーバ又はサブセンターサーバはリクエスタプログラム電文を作成して該当するＰＣ１１０に対して送信する。ＰＣ１１０はリクエスタプログラム電文を受信すると、該当するプログラムを呼び出して表示装置５０３に図３４に示すようなメニュー表示を行う。
【０１００】
この状態でＰＣ１１０は、キーボード５０８を使用してコード入力エリア５０３ｇにコード入力するか、バーコードスキャナー５０５からバーコードシンボルを入力するか、ＣＣＤカメラ５０９を使用して画像入力するかを選択的に行う。キーボード５０８及びバーコードスキャナー５０５からのコード入力に対してはコード形式の委託電文を作成して接続しているセンターサーバ又はサブセンターサーバに送信し、ＣＣＤカメラ５０９からの画像入力に対しては画像形式の委託電文を作成して接続している該当センターサーバ又はサブセンターサーバに送信する。
【０１０１】
当該センターサーバ又はサブセンターサーバは、受信した委託電文から検索コードを取得し、この検索コードによりマスターファイル６００を検索する。そして、マスターファイル６００に該当するマスターレコードがあり、ＰＣ１１０からの委託電文の検索種別の選択コードが「２」のときは接続情報電文を作成してＰＣ１１０に応答として送信する。ＰＣ１１０は、接続情報電文を受信するとその電文から接続情報を取得し、この接続情報が示す情報サーバに直接接続して商品情報を取得し、表示装置５０３に表示したり、また、印刷装置５０７により印刷出力する。
【０１０２】
また、当該センターサーバ又はサブセンターサーバは、ＰＣ１１０からの委託電文の検索種別の選択コードが「１」のときは情報選択を判断し、ファイル名電文を作成して該当する情報サーバに送信する。情報サーバは受信したファイル名電文からファイル名を取得し、外部記憶装置４０８にファイル名が存在すれば商品情報電文を作成して該当するセンターサーバ又はサブセンターサーバに送信する。これにより、当該センターサーバ又はサブセンターサーバは、情報サーバからの商品情報電文を受信し、この商品情報電文を該当するＰＣ１１０に送信する。こうしてＰＣ１１０はセンターサーバ又はサブセンターサーバを経由して情報サーバからの商品情報を取得し、表示装置５０３に表示したり、また、印刷装置５０７により印刷出力する。
【０１０３】
この一連の動作において、センターサーバ又はサブセンターサーバは、ＰＣ１１０に対して接続情報電文あるいは商品情報電文を送信したときには参照メモリ６３０の該当する商品コード、情報種別の参照カウンタ６３４をインクリメントする。
また、この一連の動作において、センターサーバ又はサブセンターサーバは、検索コードによるマスターファイル６００の検索において、該当するマスターレコードが存在しなかったときには、検索コードから企業コードを抽出し、この企業コードにより企業ファイル６１０を検索する。そして、該当する企業コードが存在すればその企業コードに対応するサーバアドレスが指定する他のサーバに受信した委託電文を送信する。指定された他のサーバは自己のマスターファイル６００を検索するなど委託電文を送信したセンターサーバ又はサブセンターサーバと同様の処理を行い、応答電文を当該センターサーバ又はサブセンターサーバに送信することになる。そして、該当するサーバから委託電文に対する応答電文を受信し、応答電文の種別が「３」又は「４」であれば受信した電文をそのまま該当するＰＣ１１０に送信する。
【０１０４】
また、企業ファイル６１０に企業コードが存在しない場合、あるいは存在しても応答電文の種別が「３」又は「４」でない場合は、ドメインファイル６２０のサーバアドレスが指定する他のサーバに受信した委託電文を送信する。この場合も指定された他のサーバは自己のマスターファイル６００を検索するなど委託電文を送信したセンターサーバ又はサブセンターサーバと同様の処理を行い、応答電文を当該センターサーバ又はサブセンターサーバに送信することになる。そして、該当するサーバから委託電文に対する応答電文を受信し、応答電文の種別が「３」又は「４」であれば受信した電文をそのまま該当するＰＣ１１０に送信する。しかし、応答電文の種別が「３」又は「４」でない場合はＰＣ１１０に対して情報が不在であることを知らせるエラーを通知する。
また、センターサーバ又はサブセンターサーバは、ＰＣ１１０からの委託電文の種別が「３」又は「４」のときには電文を破棄する。
【０１０５】
また、センターサーバ１０１〜１０３及びサブセンターサーバ１０７〜１０９，１１３は、サブセンターサーバ設定処理を呼び出すことによって他のサブセンターサーバに対するメンテナンスを実行する。すなわち、サブセンターサーバ設定処理においてキーボード２０７、３０７からメンテナンス処理の対象となるサブセンターサーバのアドレスを入力すると、外部記憶装置２０８、３０８からマスターファイル６００、企業ファイル６１０、ドメインファイル６２０を読出し、同期ビットをクリアする。そして、図２１に示すファイル送信電文を作成して該当するサブセンターサーバに送信する。
【０１０６】
ファイル送信電文を受信したサブセンターサーバは、ファイル送信電文のマスターファイル部を外部記憶装置３０８のマスターファイル６００に記憶し、企業ファイル部を同じく外部記憶装置３０８の企業ファイル６１０に記憶し、ドメインファイル部を同じく外部記憶装置３０８のドメインファイル６２０に記憶する。そして、サブセンターサーバ記憶部６４０のステータスが「１」のサーバアドレスが指定するサブセンターサーバにファイル送信電文を送信する。
【０１０７】
また、センターサーバ１０１〜１０３及びサブセンターサーバ１０７〜１０９，１１３は、サブセンターサーバプログラム送信処理を呼び出すことによって他のサブセンターサーバに対するプログラム送信を実行する。すなわち、サブセンターサーバプログラム送信処理においてキーボード２０７、３０７からメンテナンス処理の対象となるサブセンターサーバのアドレスを入力すると、サブセンターサーバプログラム電文を作成して該当するサブセンターサーバに送信する。
【０１０８】
サブセンターサーバプログラム電文を受信したサブセンターサーバは、受信したプログラムを所定のプログラム記憶領域にセットした後、このプログラムを起動して実行する。
【０１０９】
また、センターサーバ１０１〜１０３及びサブセンターサーバ１０７〜１０９，１１３は、定期的に同期処理を呼び出してマスターファイル６００内の全てのマスターレコードの全ての同期ビットを検査し、同期ビットがオンになっているマスターレコードについてはマスターレコード送信電文を作成してオンになっている同期ビットに対応するサブセンターサーバアドレスをサブセンターサーバ記憶部６４０から取得してそのアドレスが指定するサブセンターサーバに送信し該当する同期ビットをクリアする。これによりマスターレコードの変更や追加があってもサブセンターサーバ記憶部６４０に記憶しているサブセンターサーバに対するメンテナンズが確実にできる。
【０１１０】
また、センターサーバ１０１〜１０３及びサブセンターサーバ１０７〜１０９，１１３は、外部記憶装置２０８、３０８に参照メモリ６３０を設け、この参照メモリ６３０の参照カウンタ６３４でマスターファイル６００の各マスターレコードに対して参照があった回数をカウントし、出力指定企業テーブル７６０に設定した各企業コードに対して参照メモリ６３０から該当する商品コードを全て検索して参照カウンタ６３４のカウント値を合計して、各企業毎に何回参照が行われたか、そして請求金額はいくらであるかをレポードとして出力することができる。
【０１１１】
また、センターサーバ１０１〜１０３は、キーボード２０７から商品コードを入力し、マスターファイル６００に該当する商品コードが存在しなければ新規レコードの入力と判断し、さらに情報種別、接続情報、ファイル名を入力してマスターファイル６００にマスターレコードを追加する。そして、同期ビット列に対しサブセンターサーバ記憶部６４０に記憶したサブセンターサーバに該当する同期ビットをオンする。また、マスターレコードの情報種別、接続情報、ファイル名を変更する場合は、入力内容を既存のマスターレコードの該当格納部に上書きすることで行う。また、マスターレコードを削除する場合は、削除を指定したマスターレコードの情報種別に「０」をセットする。
【０１１２】
また、リクエスタとしてＰＣ１１０とは別にインターネット接続機能を有するテレビ１１１を使用し、このテレビ１１１を所定のセンターサーバ１０１〜１０３又はサブセンターサーバ１０７〜１０９，１１３に接続することでこのサーバからのリクエスタプログラムの受信に待機する。この状態で所定のセンターサーバ又はサブセンターサーバはリクエスタプログラム電文を作成して該当するテレビ１１１に対して送信する。テレビ１１１はリクエスタプログラム電文を受信すると、該当するプログラムを呼び出して接続完了メッセージを表示装置７７３に表示しリモコン１１２からの入力待ちとなる。
【０１１３】
この状態でリモコン１１２のキー操作によりコード送信コマンドをテレビ１１１に送信するとテレビ１１１は検索コードを受信してコード形式の委託電文を作成してセンターサーバあるいはサブセンターサーバに送信することによって、ＰＣ１１０と同様に該当するセンターサーバあるいはサブセンターサーバから商品情報や接続情報を受信することができる。従って、センターサーバあるいはサブセンターサーバから受信した商品情報を表示装置７７３で表示したり、受信した接続情報に基づいて該当する情報サーバから商品情報を取得して表示装置７７３で表示することができる。
【０１１４】
また、リモコン１１２のキー操作によりコマーシャル呼び出しコマンドをテレビ１１１に送信するとテレビ１１１は受信中の放送電波の文字放送領域からコードを受信してコード形式の委託電文を作成してセンターサーバあるいはサブセンターサーバに送信することによっても同様に商品情報や接続情報を受信することができる。このように一般家庭で使用しているテレビにインターネット接続機能を付加することによっても商品情報を簡単に取得することができる。
【０１１５】
以上、このネットワークシステムでは、商品情報を提供する情報サーバ１０４〜１０６とは別にマスターファイル６００を備えたセンターサーバ１０１〜１０３を設け、このセンターサーバのマスターファイルに情報サーバの接続情報を格納しておき、商品情報を必要とするＰＣ１１０又はテレビ１１１から検索コードをセンターサーバに送信することにより、ＰＣ１１０又はテレビ１１１はセンターサーバから情報サーバの接続情報を受けて該当する情報サーバから商品情報を取得することができ、また、情報サーバからセンターサーバを経由して商品情報を取得することができ、多様な商品情報を簡単に入手でき、しかも、センターサーバは商品情報を直接持つ必要が無く負担を軽減でき、汎用性を十分に向上できる。
【０１１６】
また、センターサーバ１０１〜１０３の他にサブセンターサーバ１０７〜１０９、１１３を設け、このサブセンターサーバをセンターサーバ１０１〜１０３と同様の構成にすることで、ＰＣ１１０又はテレビ１１１はサブセンターサーバから情報サーバの接続情報を受けて該当する情報サーバから商品情報を取得することができ、また、情報サーバからサブセンターサーバを経由して商品情報を取得することができ、さらに多様な商品情報を簡単に入手でき、多様な商品情報をさらに簡単に入手でき、しかも、サブセンターサーバは商品情報を直接持つ必要が無く負担を軽減でき、汎用性を十分に向上できる。
【０１１７】
なお、前述した実施の形態では、ＰＣ１１０やテレビ１１１が取得する情報として商品情報の場合について述べたが必ずしもこれに限定するものではなく、例えば、多種の文献情報の提供やレジャー施設や宿泊施設などの各種サービス情報の提供などにも適用できるものである。
【０１１８】
また、前述した実施の形態においては、以下に述べるネットワークシステムの情報処理方法及び情報処理装置並びにプログラム記憶媒体も含む。
通信手段を備えデータの送受信が可能なセンターサーバ、情報を提供する情報サーバ、並びに情報を必要とするリクエスタをそれぞれネットワーク上に接続したネットワークシステムにおいて、センターサーバは、ユニークコードと情報サーバのアドレスや電話番号等接続に必要な接続情報を有するマスターレコードを複数格納したマスターファイルを備え、リクエスタは、検索コードを該当するセンターサーバに送信し、検索コードを受信したセンターサーバは、この検索コードと一致するユニークコードを自己のマスターファイルより検索してマスターレコードを特定し、この特定したマスターレコードから接続情報を取得して該当するリクエスタに送信し、当該リクエスタは受信した接続情報に基づいて該当する情報サーバから情報の提供を受ける情報処理方法。
【０１１９】
また、通信手段を備えデータの送受信が可能なセンターサーバ、情報を提供する情報サーバ、並びに情報を必要とするリクエスタをそれぞれネットワーク上に接続したネットワークシステムにおいて、センターサーバーは、ユニークコードと情報サーバのアドレスや電話番号等接続に必要な接続情報を有するマスターレコードを複数格納したマスターファイルを保持するマスターファイル保持手段と、リクエスタから検索コードを受信する受信手段と、この受信手段が受信した検索コードと一致するユニークコードを自己のマスターファイルより検索してマスターレコードを特定するマスターレコード検索手段と、このマスターレコード検索手段が特定したマスターレコードから接続情報を取得して該当するリクエスタに送信する接続情報納付手段とを備え、リクエスタは、該当するセンターサーバに検索コードを送信する検索コード送信手段と、該当するセンターサーバから接続情報を受信する接続情報受信手段とを備えた情報処理装置。
【０１２０】
また、通信手段を備えデータの送受信が可能なセンターサーバ、情報を提供する情報サーバ、並びに情報を必要とするリクエスタをそれぞれネットワーク上に接続したネットワークシステムにおいて、情報サーバは、ユニークコードが示す情報を保持し、センターサーバは、ユニークコードと情報サーバのアドレスや電話番号等接続に必要な接続情報とファイル名を有するマスターレコードを複数格納したマスターファイルを備え、センターサーバは、リクエスタから検索コードを受信すると、この検索コードと一致するユニークコードを自己のマスターファイルより検索してマスターレコードを特定し、この特定したマスターレコードから情報サーバの接続情報を取得してこの接続情報が示す情報サーバに特定したマスターレコードのファイル名を送信し、この状態で当該情報サーバから送信したファイル名が示す情報を受信すると、この情報を該当するリクエスタに送信する情報処理方法。
【０１２１】
また、通信手段を備えデータの送受信が可能なセンターサーバ、情報を提供する情報サーバ、並びに情報を必要とするリクエスタをそれぞれネットワーク上に接続したネットワークシステムにおいて、情報サーバは、１つのユニークコードに対して情報種別と情報を保持し、センターサーバは、ユニークコードと情報種別と情報サーバのアドレスや電話番号等接続に必要な接続情報とファイル名からなるマスターレコード群を格納したマスターファイルを備え、リクエスタは、検索コードと検索種別を該当するセンターサーバに送信し、検索コードと検索種別を受信したセンターサーバは、この検索コードと一致するユニークコードを自己のマスターファイルより検索してマスターレコード群を特定し、この特定したマスターレコード群から検索種別の情報コードと一致する情報種別を検索し、この一致した情報種別が属するマスターレコードを取得し、受信した検索種別の選択コードが接続情報選択のときは、当該接続情報を該当するリクエスタに送信し、当該リクエスタはこの接続情報を受信し、また、受信した検索種別の選択コードが情報選択のときは、取得したマスターレコードの接続情報が示す情報サーバにこのマスターレコードのファイル名を送信し、ファイル名を受信した情報サーバは、このファイル名が示す情報を該当するセンターサーバに送信し、当該センターサーバは、該当する情報サーバから情報を受信するとこの情報を該当するリクエスタに送信し、当該リクエスタはこの情報を受信する情報処理方法。
【０１２２】
また、通信手段を備えデータの送受信が可能なセンターサーバ、情報を提供する情報サーバ、並びに情報を必要とするリクエスタをそれぞれネットワーク上に接続したネットワークシステムにおいて、情報サーバは、１つのユニークコードに対して情報種別と情報を保持し、センターサーバは、ユニークコードと情報種別と情報サーバのアドレスや電話番号等接続に必要な接続情報とファイル名からなるマスターレコード群を格納したマスターファイルを備え、センターサーバは、リクエスタから検索コードと検索種別を受信すると、この検索コードと一致するユニークコードを自己のマスターファイルより検索してマスターレコード群を特定し、この特定したマスターレコード群から検索種別の情報コードと一致する情報種別を検索し、この一致した情報種別が属するマスターレコードを取得し、受信した検索種別の選択コードが接続情報選択のときは、当該接続情報を該当するリクエスタに送信し、また、受信した検索種別の選択コードが情報選択のときは、取得したマスターレコードの接続情報が示す情報サーバにこのマスターレコードのファイル名を送信し、当該情報サーバから送信したファイル名が示す情報を受信するとこの情報を該当するリクエスタに送信する情報処理方法。
【０１２３】
また、通信手段を備えデータの送受信が可能なセンターサーバ、情報を提供する情報サーバ、並びに情報を必要とするリクエスタをそれぞれネットワーク上に接続したネットワークシステムにおいて、情報サーバは、１つのユニークコードに対して情報種別と情報を保持し、センターサーバは、ユニークコードと情報種別と情報サーバのアドレスや電話番号等接続に必要な接続情報とファイル名からなるマスターレコード群を格納したマスターファイルを備え、この構成において、センターサーバに、リクエスタから検索コードと検索種別を受信するステップ、この受信した検索コードと一致するユニークコードを自己のマスターファイルより検索してマスターレコード群を特定するステップ、この特定したマスターレコード群から検索種別の情報コードと一致する情報種別を検索し、この一致した情報種別が属するマスターレコードを取得するステップ、受信した検索種別の選択コードが接続情報選択のときは、当該接続情報を該当するリクエスタに送信し、また、受信した検索種別の選択コードが情報選択のときは、取得したマスターレコードの接続情報が示す情報サーバにこのマスターレコードのファイル名を送信して当該情報サーバから送信したファイル名が示す情報を受信し、この受信した情報を該当するリクエスタに送信するステップ、を順次遂行させるためにセンターサーバによって実行可能なコンピュータプログラムを格納したコンピュータによる読出し可能なプログラム記憶媒体。
【０１２４】
また、通信手段を備えデータの送受信が可能なセンターサーバ、情報を提供する情報サーバ、並びに情報を必要とするリクエスタをそれぞれネットワーク上に接続したネットワークシステムにおいて、センターサーバは、ユニークコードと情報種別と情報サーバのアドレスや電話番号等接続に必要な接続情報とファイル名からなるマスターレコード群を格納したマスターファイルを保持するマスターファイル保持手段と、リクエスタから検索コードと検索種別を受信する受信手段と、この受信手段が受信した検索コードと一致するユニークコードを自己のマスターファイルより検索してマスターレコード群を特定し、この特定したマスターレコード群から検索種別の情報コードと一致する情報種別を検索し、この一致した情報種別が属するマスターレコードを取得するマスターレコード検索手段と、受信した検索種別の選択コードが接続情報選択の時に取得したマスターレコードの接続情報を該当するリクエスタに送信する接続情報納付手段と、受信した検索種別の選択コードが情報選択の時に取得したマスターレコードの接続情報が示す情報サーバにこのマスターレコードのファイル名を送信し、当該情報サーバから送信したファイル名が示す情報を受信する情報取得手段と、この情報取得手段が受信した情報を該当するリクエスタに送信する情報納付手段を具備した情報処理装置。
【０１２５】
また、通信手段を備えデータの送受信が可能なセンターサーバ、情報を提供する情報サーバ、並びに情報を必要とするリクエスタをそれぞれネットワーク上に接続したネットワークシステムにおいて、情報サーバは、１つのユニークコードに対して情報種別と情報を保持し、センターサーバは、ユニークコードと情報種別と情報サーバのアドレスや電話番号等接続に必要な接続情報とファイル名からなるマスターレコード群を格納したマスターファイルと、１つのユニークコードに対して情報種別と参照カウンタを有する参照レコード群からなる参照メモリを備え、リクエスタは、検索コードと検索種別を該当するセンターサーバに送信し、検索コードと検索種別を受信したセンターサーバは、この検索コードと一致するユニークコードを自己のマスターファイルより検索してマスターレコード群を特定し、この特定したマスターレコード群から検索種別の情報コードと一致する情報種別を検索し、この一致した情報種別が属するマスターレコードを取得し、受信した検索種別の選択コードが接続情報選択のときは、当該接続情報を該当するリクエスタに送信するとともにユニークコードの情報種別に対応する参照メモリの参照カウンタをインクリメントし、当該リクエスタはこの接続情報を受信し、また、受信した検索種別の選択コードが情報選択のときは、取得したマスターレコードの接続情報が示す情報サーバにこのマスターレコードのファイル名を送信し、ファイル名を受信した情報サーバは、このファイル名が示す情報を該当するセンターサーバに送信し、当該センターサーバは、該当する情報サーバから情報を受信するとこの情報を該当するリクエスタに送信するとともにユニークコードの情報種別に対応する参照メモリの参照カウンタをインクリメントし、当該リクエスタはこのセンターサーバからの情報を受信する情報処理方法。
【０１２６】
また、通信手段を備えデータの送受信が可能なセンターサーバ、情報を提供する情報サーバ、並びに情報を必要とするリクエスタをそれぞれネットワーク上に接続したネットワークシステムにおいて、情報サーバは、１つのユニークコードに対して情報種別と情報を保持し、センターサーバは、ユニークコードと情報種別と情報サーバのアドレスや電話番号等接続に必要な接続情報とファイル名からなるマスターレコード群を格納したマスターファイルと、１つのユニークコードに対して情報種別と参照カウンタを有する参照レコード群からなる参照メモリを備え、センターサーバは、リクエスタから検索コードと検索種別を受信すると、この検索コードと一致するユニークコードを自己のマスターファイルより検索してマスターレコード群を特定し、この特定したマスターレコード群から検索種別の情報コードと一致する情報種別を検索し、この一致した情報種別が属するマスターレコードを取得し、受信した検索種別の選択コードが接続情報選択のときは、当該接続情報を該当するリクエスタに送信するとともにユニークコードの情報種別に対応する参照メモリの参照カウンタをインクリメントし、また、受信した検索種別の選択コードが情報選択のときは、取得したマスターレコードの接続情報が示す情報サーバにこのマスターレコードのファイル名を送信し、当該情報サーバから送信したファイル名が示す情報を受信するとこの情報を該当するリクエスタに送信するとともにユニークコードの情報種別に対応する参照メモリの参照カウンタをインクリメントする情報処理方法。
【０１２７】
また、通信手段を備えデータの送受信が可能なセンターサーバ、情報を提供する情報サーバ、並びに情報を必要とするリクエスタをそれぞれネットワーク上に接続したネットワークシステムにおいて、情報サーバは、１つのユニークコードに対して情報種別と情報を保持し、センターサーバは、ユニークコードと情報種別と情報サーバのアドレスや電話番号等接続に必要な接続情報とファイル名からなるマスターレコード群を格納したマスターファイルと、１つのユニークコードに対して情報種別と参照カウンタを有する参照レコード群からなる参照メモリを備え、この構成において、センターサーバに、リクエスタから検索コードと検索種別を受信するステップ、この受信した検索コードと一致するユニークコードを自己のマスターファイルより検索してマスターレコード群を特定するステップ、この特定したマスターレコード群から検索種別の情報コードと一致する情報種別を検索し、この一致した情報種別が属するマスターレコードを取得するステップ、受信した検索種別の選択コードが接続情報選択のときは、当該接続情報を該当するリクエスタに送信するとともにユニークコードの情報種別に対応する参照メモリの参照カウンタをインクリメントし、また、受信した検索種別の選択コードが情報選択のときは、取得したマスターレコードの接続情報が示す情報サーバにこのマスターレコードのファイル名を送信して当該情報サーバから送信したファイル名が示す情報を受信し、この受信した情報を該当するリクエスタに送信するとともにユニークコードの情報種別に対応する参照メモリの参照カウンタをインクリメントするステップ、を順次遂行させるためにセンターサーバによって実行可能なコンピュータプログラムを格納したコンピュータによる読出し可能なプログラム記憶媒体。
【０１２８】
また、通信手段を備えデータの送受信が可能なセンターサーバ、情報を提供する情報サーバ、並びに情報を必要とするリクエスタをそれぞれネットワーク上に接続したネットワークシステムにおいて、情報サーバは、１つのユニークコードに対して情報種別と情報を保持し、センターサーバは、ユニークコードと情報種別と情報サーバのアドレスや電話番号等接続に必要な接続情報とファイル名からなるマスターレコード群を格納したマスターファイルを保持するマスターファイル保持手段と、１つのユニークコードに対して情報種別と参照カウンタを有する参照レコード群からなる参照メモリを保持する参照メモリ保持手段と、リクエスタから検索コードと検索種別を受信する受信手段と、この受信手段が受信した検索コードと一致するユニークコードを自己のマスターファイルより検索してマスターレコード群を特定し、この特定したマスターレコード群から検索種別の情報コードと一致する情報種別を検索し、この一致した情報種別が属するマスターレコードを取得するマスターレコード検索手段と、受信した検索種別の選択コードが接続情報選択のときは、当該接続情報を該当するリクエスタに送信する接続情報納付手段と、受信した検索種別の選択コードが情報選択のときは、取得したマスターレコードの接続情報が示す情報サーバにこのマスターレコードのファイル名を送信し、当該情報サーバから送信したファイル名が示す情報を受信する情報取得手段と、この情報取得手段が受信した情報を該当するリクエスタに送信する情報納付手段と、ユニークコードの情報種別に対応する参照メモリの参照カウンタをインクリメントする参照実績作成手段を具備した情報処理装置。
【０１２９】
また、通信手段を備えデータの送受信が可能なセンターサーバ、情報を提供する情報サーバ、並びに情報を必要とするリクエスタをそれぞれネットワーク上に接続したネットワークシステムにおいて、情報サーバは、１つのユニークコードに対して情報種別と情報を保持し、センターサーバは、ユニークコードと情報種別と情報サーバのアドレスや電話番号等接続に必要な接続情報とファイル名からなるマスターレコード群を格納したマスターファイルを保持するマスターファイル保持手段と、１つのユニークコードに対して情報種別と参照カウンタを有する参照レコード群からなる参照メモリを保持する参照メモリ保持手段と、センターサーバのアドレス群からなるドメインファイルを保持するドメインファイル保持手段と、リクエスタから検索コードと検索種別を受信する受信手段と、この受信手段が受信した検索コードと一致するユニークコードを自己のマスターファイルより検索してマスターレコード群を特定し、この特定したマスターレコード群から検索種別の情報コードと一致する情報種別を検索し、この一致した情報種別が属するマスターレコードを取得するマスターレコード検索手段と、受信した検索種別の選択コードが接続情報選択のときは、当該接続情報を該当するリクエスタに送信する接続情報納付手段と、受信した検索種別の選択コードが情報選択のときは、取得したマスターレコードの接続情報が示す情報サーバにこのマスターレコードのファイル名を送信し、当該情報サーバから送信したファイル名が示す情報を受信する情報取得手段と、この情報取得手段が受信した情報を該当するリクエスタに送信する情報納付手段と、ユニークコードの情報種別に対応する参照メモリの参照カウンタをインクリメントする参照実績作成手段と、マスターレコード検索手段による検索時において自己のマスタファイルにデータが無いとき、自己のドメインファイルが示すアドレスの他のセンターサーバに対し順次あるいは同時に検索コードと検索種別を送信する送信手段と、この送信手段により検索コードと検索種別を送信した他のセンターサーバから最も早く受信した情報を該当するリクエスタに送信する委託情報納付手段と、送信手段による最も早い情報の受信後、それ以外の検索コードと検索種別を送信した他のセンターサーバから受信した情報を破棄する破棄手段を具備した情報処理装置。
【０１３０】
また、通信手段を備えデータの送受信が可能なセンターサーバ、サブセンターサーバ、情報を提供する情報サーバ、並びに情報を必要とするリクエスタをそれぞれネットワーク上に接続したネットワークシステムにおいて、情報サーバは、１つのユニークコードに対して情報種別と情報を保持し、センターサーバ及びサブセンターサーバは、ユニークコードと情報種別と情報サーバのアドレスや電話番号等接続に必要な接続情報とファイル名からなるマスターレコード群を格納したマスターファイルと、１つのユニークコードに対して情報種別と参照カウンタを有する参照レコード群からなる参照メモリと、センターサーバのアドレス群からなるドメインファイルを備えるとともに、マスターファイルの各マスターレコード毎に所定の個数の同期ビット列を設け、サブセンターサーバは、リクエスタから検索コードと検索種別を受信すると、この検索コードと一致するユニークコードを自己のマスターファイルより検索してマスターレコード群を特定し、この特定したマスターレコード群から検索種別の情報コードと一致する情報種別を検索し、この一致した情報種別が属するマスターレコードを取得し、受信した検索種別の選択コードが接続情報選択のときは、当該接続情報を該当するリクエスタに送信するとともにユニークコードの情報種別に対応する参照メモリの参照カウンタをインクリメントし、また、受信した検索種別の選択コードが情報選択のときは、取得したマスターレコードの接続情報が示す情報サーバにこのマスターレコードのファイル名を送信し、当該情報サーバから送信したファイル名が示す情報を受信するとこの情報を該当するリクエスタに送信するとともにユニークコードの情報種別に対応する参照メモリの参照カウンタをインクリメントし、また、自己のマスタファイルにデータが無いとき、自己のドメインファイルが示すアドレスの他のセンターサーバに対し順次あるいは同時に検索コードと検索種別を送信し、この検索コードと検索種別を送信した他のセンターサーバから最も早く受信した情報を該当するリクエスタに送信するとともにこの最も早い情報の受信後、それ以外の検索コードと検索種別を送信した他のセンターサーバから受信した情報を破棄し、また、サブセンターサーバは、特定のサブセンターサーバのアドレスを入力するとこのアドレスを記憶するとともに所定の同期ビットをクリアし、マスターファイルとドメインファイルを特定のサブセンターサーバに送信し、また、自己のマスターファイルの内容更新時にマスターレコードの所定の同期ビットをオンし、一定時間毎に全マスターレコードの該当する同期ビット列を検査し、オンのマスターレコードを特定のサブセンターサーバに送信して同期ビットをクリアし、また、他のセンターサーバ又はサブセンターサーバが送信したマスターファイルとドメインファイルを受信して保持し、さらに、他のセンターサーバ又はサブセンターサーバが送信したマスターレコードを受信して保持しているマスターファイルの内容を更新する情報処理方法。
【０１３１】
また、通信手段を備えデータの送受信が可能なセンターサーバ、サブセンターサーバ、情報を提供する情報サーバ、並びに情報を必要とするリクエスタをそれぞれネットワーク上に接続したネットワークシステムにおいて、情報サーバは、１つのユニークコードに対して情報種別と情報を保持し、センターサーバ及びサブセンターサーバは、ユニークコードと情報種別と情報サーバのアドレスや電話番号等接続に必要な接続情報とファイル名からなるマスターレコード群を格納したマスターファイルと、１つのユニークコードに対して情報種別と参照カウンタを有する参照レコード群からなる参照メモリと、センターサーバのアドレス群からなるドメインファイルを備えるとともに、マスターファイルの各マスターレコード毎に所定の個数の同期ビット列を設け、この構成において、センターサーバに、リクエスタから検索コードと検索種別を受信するステップ、この受信した検索コードと一致するユニークコードを自己のマスターファイルより検索してマスターレコード群を特定するステップ、この特定したマスターレコード群から検索種別の情報コードと一致する情報種別を検索し、この一致した情報種別が属するマスターレコードを取得するステップ、受信した検索種別の選択コードが接続情報選択のときは、当該接続情報を該当するリクエスタに送信するとともにユニークコードの情報種別に対応する参照メモリの参照カウンタをインクリメントし、また、受信した検索種別の選択コードが情報選択のときは、取得したマスターレコードの接続情報が示す情報サーバにこのマスターレコードのファイル名を送信して当該情報サーバから送信したファイル名が示す情報を受信し、この受信した情報を該当するリクエスタに送信するとともにユニークコードの情報種別に対応する参照メモリの参照カウンタをインクリメントするステップ、自己のマスタファイルにデータが無いとき、自己のドメインファイルが示すアドレスの他のセンターサーバに対し順次あるいは同時に検索コードと検索種別を送信するステップ、検索コードと検索種別を送信した他のセンターサーバから最も早く受信した情報を該当するリクエスタに送信するとともにこの最も早い情報の受信後、それ以外の検索コードと検索種別を送信した他のセンターサーバから受信した情報を破棄するステップ、を順次遂行させ、また、特定のサブセンターサーバのアドレスを入力するとこのアドレスを記憶するとともに所定の同期ビットをクリアしてマスターファイルとドメインファイルを特定のサブセンターサーバに送信するステップ、自己のマスターファイルの内容更新時にマスターレコードの所定の同期ビットをオンするステップ、一定時間毎に全マスターレコードの該当する同期ビット列を検査し、オンのマスターレコードを特定のサブセンターサーバに送信して同期ビットをクリアするステップ、を選択的に遂行させるためにセンターサーバによって実行可能なコンピュータプログラムを格納したコンピュータによる読出し可能なプログラム記憶媒体。
【０１３２】
また、通信手段を備えデータの送受信が可能なセンターサーバ、サブセンターサーバ、情報を提供する情報サーバ、並びに情報を必要とするリクエスタをそれぞれネットワーク上に接続したネットワークシステムにおいて、情報サーバは、１つのユニークコードに対して情報種別と情報を保持し、センターサーバ及びサブセンターサーバは、ユニークコードと情報種別と情報サーバのアドレスや電話番号等接続に必要な接続情報とファイル名からなるマスターレコード群を格納したマスターファイルと、１つのユニークコードに対して情報種別と参照カウンタを有する参照レコード群からなる参照メモリと、センターサーバのアドレス群からなるドメインファイルを備えるとともに、マスターファイルの各マスターレコード毎に所定の個数の同期ビット列を設け、この構成において、サブセンターサーバに、リクエスタから検索コードと検索種別を受信するステップ、この受信した検索コードと一致するユニークコードを自己のマスターファイルより検索してマスターレコード群を特定するステップ、この特定したマスターレコード群から検索種別の情報コードと一致する情報種別を検索し、この一致した情報種別が属するマスターレコードを取得するステップ、受信した検索種別の選択コードが接続情報選択のときは、当該接続情報を該当するリクエスタに送信するとともにユニークコードの情報種別に対応する参照メモリの参照カウンタをインクリメントし、また、受信した検索種別の選択コードが情報選択のときは、取得したマスターレコードの接続情報が示す情報サーバにこのマスターレコードのファイル名を送信して当該情報サーバから送信したファイル名が示す情報を受信し、この受信した情報を該当するリクエスタに送信するとともにユニークコードの情報種別に対応する参照メモリの参照カウンタをインクリメントするステップ、自己のマスタファイルにデータが無いとき、自己のドメインファイルが示すアドレスの他のセンターサーバに対し順次あるいは同時に検索コードと検索種別を送信するステップ、検索コードと検索種別を送信した他のセンターサーバから最も早く受信した情報を該当するリクエスタに送信するとともにこの最も早い情報の受信後、それ以外の検索コードと検索種別を送信した他のセンターサーバから受信した情報を破棄するステップ、を順次遂行させ、また、特定のサブセンターサーバのアドレスを入力するとこのアドレスを記憶するとともに所定の同期ビットをクリアしてマスターファイルとドメインファイルを特定のサブセンターサーバに送信するステップ、自己のマスターファイルの内容更新時にマスターレコードの所定の同期ビットをオンするステップ、一定時間毎に全マスターレコードの該当する同期ビット列を検査し、オンのマスターレコードを特定のサブセンターサーバに送信して同期ビットをクリアするステップ、他のセンターサーバ又はサブセンターサーバが送信したマスターファイルとドメインファイルを受信して保持するステップ、他のセンターサーバ又はサブセンターサーバが送信したマスターレコードを受信して保持しているマスターファイルの内容を更新するステップ、を選択的に遂行させるためにサブセンターサーバによって実行可能なコンピュータプログラムを格納したコンピュータによる読出し可能なプログラム記憶媒体。
【０１３３】
また、通信手段を備えデータの送受信が可能なセンターサーバ、サブセンターサーバ、情報を提供する情報サーバ、並びに情報を必要とするリクエスタをそれぞれネットワーク上に接続したネットワークシステムにおいて、情報サーバは、１つのユニークコードに対して情報種別と情報を保持し、センターサーバ及びサブセンターサーバは、ユニークコードと情報種別と情報サーバのアドレスや電話番号等接続に必要な接続情報とファイル名からなるマスターレコード群を格納するとともに各マスターレコード毎に設けた所定の個数の同期ビット列を格納したマスターファイルを保持するマスターファイル保持手段と、１つのユニークコードに対して情報種別と参照カウンタを有する参照レコード群からなる参照メモリを保持する参照メモリ保持手段と、センターサーバ又はサブセンターサーバのアドレス群からなるドメインファイルを保持するドメインファイル保持手段と、リクエスタから検索コードと検索種別を受信する受信手段と、この受信手段が受信した検索コードと一致するユニークコードを自己のマスターファイルより検索してマスターレコード群を特定し、この特定したマスターレコード群から検索種別の情報コードと一致する情報種別を検索し、この一致した情報種別が属するマスターレコードを取得するマスターレコード検索手段と、受信した検索種別の選択コードが接続情報選択のときは、当該接続情報を該当するリクエスタに送信する接続情報納付手段と、受信した検索種別の選択コードが情報選択のときは、取得したマスターレコードの接続情報が示す情報サーバにこのマスターレコードのファイル名を送信し、当該情報サーバから送信したファイル名が示す情報を受信する情報取得手段と、この情報取得手段が受信した情報を該当するリクエスタに送信する情報納付手段と、ユニークコードの情報種別に対応する参照メモリの参照カウンタをインクリメントする参照実績作成手段と、マスターレコード検索手段による検索時において自己のマスタファイルにデータが無いとき、自己のドメインファイルが示すアドレスの他のセンターサーバ又はサブセンターサーバに対し順次あるいは同時に検索コードと検索種別を送信する送信手段と、この送信手段により検索コードと検索種別を送信した他のセンターサーバ又はサブセンターサーバから最も早く受信した情報を該当するリクエスタに送信する委託情報納付手段と、送信手段による最も早い情報の受信後、それ以外の検索コードと検索種別を送信した他のセンターサーバ又はサブセンターサーバから受信した情報を破棄する破棄手段と、入力された特定のサブセンターサーバのアドレスを記憶するとともに所定の同期ビットをクリアし、マスタファイルとドメインファイルを特定のサブセンターサーバに送信するサブセンターサーバ設定手段と、入力されたマスターレコードをマスターファイルに記憶し、所定の同期ビットをオンするマスタファイル更新手段と、一定時間毎に全マスターレコードの同期ビット列を検査し、オンのマスターレコードを特定のサブセンターサーバに送信して同期ビットをクリアする同期処理手段と、他のセンターサーバ又はサブセンターサーバが送信したマスターファイルとドメインファイルを受信して保持するファイル受信手段と、他のセンターサーバ又はサブセンターサーバが送信したマスターレコードを受信して保持しているマスターファイルの内容を更新するマスターファイル更新手段とを具備した情報処理装置。
【０１３４】
また、通信手段を備えデータの送受信が可能なセンターサーバ、サブセンターサーバ、情報を提供する情報サーバ、並びに情報を必要とするリクエスタをそれぞれネットワーク上に接続したネットワークシステムにおいて、情報サーバは、１つのユニークコードに対して情報種別と情報を保持し、センターサーバ及びサブセンターサーバは、ユニークコードと情報種別と情報サーバのアドレスや電話番号等接続に必要な接続情報とファイル名からなるマスターレコード群を格納したマスターファイルと、１つのユニークコードに対して情報種別と参照カウンタを有する参照レコード群からなる参照メモリと、センターサーバのアドレス群からなるドメインファイルを備えるとともに、マスターファイルの各マスターレコード毎に所定の個数の同期ビット列を設け、この構成において、サブセンターサーバに、リクエスタから検索コードと検索種別を受信するステップ、この受信した検索コードと一致するユニークコードを自己のマスターファイルより検索してマスターレコード群を特定するステップ、この特定したマスターレコード群から検索種別の情報コードと一致する情報種別を検索し、この一致した情報種別が属するマスターレコードを取得するステップ、受信した検索種別の選択コードが接続情報選択のときは、当該接続情報を該当するリクエスタに送信するとともにユニークコードの情報種別に対応する参照メモリの参照カウンタをインクリメントし、また、受信した検索種別の選択コードが情報選択のときは、取得したマスターレコードの接続情報が示す情報サーバにこのマスターレコードのファイル名を送信して当該情報サーバから送信したファイル名が示す情報を受信し、この受信した情報を該当するリクエスタに送信するとともにユニークコードの情報種別に対応する参照メモリの参照カウンタをインクリメントするステップ、自己のマスタファイルにデータが無いとき、自己のドメインファイルが示すアドレスの他のセンターサーバに対し順次あるいは同時に検索コードと検索種別を送信するステップ、検索コードと検索種別を送信した他のセンターサーバから最も早く受信した情報を該当するリクエスタに送信するとともにこの最も早い情報の受信後、それ以外の検索コードと検索種別を送信した他のセンターサーバから受信した情報を破棄するステップ、を順次遂行させ、また、特定のサブセンターサーバのアドレスを入力するとこのアドレスを記憶するとともに所定の同期ビットをクリアしてマスターファイルとドメインファイルを特定のサブセンターサーバに送信するステップ、自己のマスターファイルの内容更新時にマスターレコードの所定の同期ビットをオンするステップ、一定時間毎に全マスターレコードの該当する同期ビット列を検査し、オンのマスターレコードを特定のサブセンターサーバに送信して同期ビットをクリアするステップ、他のセンターサーバ又はサブセンターサーバが送信したマスターファイルとドメインファイルを受信して保持するステップ、他のセンターサーバ又はサブセンターサーバが送信したマスターレコードを受信して保持しているマスターファイルの内容を更新するステップ、サブセンターサーバが実行可能な命令プログラム並びにデータを該当するサブセンターサーバに送信するステップ、命令プログラム並びにデータを受信すると、読み出し可能な主記憶媒体にセットした後、命令プログラムを実行するステップ、を選択的に遂行させるためにサブセンターサーバによって実行可能なコンピュータプログラムを格納したコンピュータによる読出し可能なプログラム記憶媒体。
【０１３５】
また、通信手段を備えデータの送受信が可能なセンターサーバ、サブセンターサーバ、情報を提供する情報サーバ、並びに情報を必要とするリクエスタをそれぞれネットワーク上に接続したネットワークシステムにおいて、情報サーバは、１つのユニークコードに対して情報種別と情報を保持し、センターサーバ及びサブセンターサーバは、ユニークコードと情報種別と情報サーバのアドレスや電話番号等接続に必要な接続情報とファイル名からなるマスターレコード群を格納するとともに各マスターレコード毎に設けた所定の個数の同期ビット列を格納したマスターファイルを保持するマスターファイル保持手段と、１つのユニークコードに対して情報種別と参照カウンタを有する参照レコード群からなる参照メモリを保持する参照メモリ保持手段と、センターサーバ又はサブセンターサーバのアドレス群からなるドメインファイルを保持するドメインファイル保持手段と、リクエスタから検索コードと検索種別を受信する受信手段と、この受信手段が受信した検索コードと一致するユニークコードを自己のマスターファイルより検索してマスターレコード群を特定し、この特定したマスターレコード群から検索種別の情報コードと一致する情報種別を検索し、この一致した情報種別が属するマスターレコードを取得するマスターレコード検索手段と、受信した検索種別の選択コードが接続情報選択のときは、当該接続情報を該当するリクエスタに送信する接続情報納付手段と、受信した検索種別の選択コードが情報選択のときは、取得したマスターレコードの接続情報が示す情報サーバにこのマスターレコードのファイル名を送信し、当該情報サーバから送信したファイル名が示す情報を受信する情報取得手段と、この情報取得手段が受信した情報を該当するリクエスタに送信する情報納付手段と、ユニークコードの情報種別に対応する参照メモリの参照カウンタをインクリメントする参照実績作成手段と、マスターレコード検索手段による検索時において自己のマスタファイルにデータが無いとき、自己のドメインファイルが示すアドレスの他のセンターサーバ又はサブセンターサーバに対し順次あるいは同時に検索コードと検索種別を送信する送信手段と、この送信手段により検索コードと検索種別を送信した他のセンターサーバ又はサブセンターサーバから最も早く受信した情報を該当するリクエスタに送信する委託情報納付手段と、送信手段による最も早い情報の受信後、それ以外の検索コードと検索種別を送信した他のセンターサーバ又はサブセンターサーバから受信した情報を破棄する破棄手段と、入力された特定のサブセンターサーバのアドレスを記憶するとともに所定の同期ビットをクリアし、マスタファイルとドメインファイルを特定のサブセンターサーバに送信するサブセンターサーバ設定手段と、入力されたマスターレコードをマスターファイルに記憶し、所定の同期ビットをオンするマスタファイル更新手段と、一定時間毎に全マスターレコードの同期ビット列を検査し、オンのマスターレコードを特定のサブセンターサーバに送信して同期ビットをクリアする同期処理手段と、サブセンターサーバーが実行可能な命令プログラム並びにデータを該当するサブセンターサーバーに送信するプログラム送信手段とを備え、サブセンターサーバーは、さらに、実行可能な命令プログラム並びにデータを受信し、この受信した命令プログラム並びにデータを読み出し可能な主記憶媒体にセットし実行するプログラム受信手段を具備した情報処理装置。
【０１３６】
【発明の効果】
以上、請求項１、３及び４記載の発明によれば、情報を提供する情報サーバとは別にマスターファイルを備えたセンターサーバを設け、このセンターサーバのマスターファイルに情報サーバの接続情報を格納しておき、情報を必要とするリクエスタから検索コードをセンターサーバに送信することによりセンターサーバが該当する情報サーバから情報を受けてリクエスタに送信し、これにより、リクエスタは商品や各種のサービス等多様な事項についての多様な情報を簡単に入手でき、しかも、センターサーバの負担を軽減でき、汎用性を十分に向上できるネットワークシステムの情報処理方法を提供できる。
【０１３７】
また、請求項２記載の発明によれば、情報を提供する情報サーバとは別にマスターファイルを備えたセンターサーバを設け、このセンターサーバのマスターファイルに情報サーバの接続情報を格納しておき、情報を必要とするリクエスタから検索コードをセンターサーバに送信することによりセンターサーバが該当する情報サーバから情報を受けてリクエスタに提供し、これにより、リクエスタは商品や各種のサービス等多様な事項についての多様な情報を簡単に入手でき、しかも、センターサーバの負担を軽減でき、汎用性を十分に向上できるネットワークシステムの情報処理装置を提供できる。
【０１３９】
また、請求項５、６及び８記載の発明によれば、情報を提供する情報サーバとは別にマスターファイルを備えたセンターサーバ及びサブセンターサーバを設け、このセンターサーバ及びサブセンターサーバのマスターファイルに情報サーバの接続情報を格納しておき、情報を必要とするリクエスタから検索コードをセンターサーバ又はサブセンターサーバに送信することによりセンターサーバ又はサブセンターサーバが該当する情報サーバから情報を受けてリクエスタに送信し、これにより、リクエスタは商品や各種のサービス等多様な事項についての多様な情報を簡単に入手でき、しかも、センターサーバ及びサブセンターサーバの負担を軽減でき、汎用性を十分に向上できるネットワークシステムの情報処理方法を提供できる。
【０１４０】
また、請求項７及び９記載の発明によれば、情報を提供する情報サーバとは別にマスターファイルを備えたセンターサーバ及びサブセンターサーバを設け、このセンターサーバ及びサブセンターサーバのマスターファイルに情報サーバの接続情報を格納しておき、情報を必要とするリクエスタから検索コードをセンターサーバ又はサブセンターサーバに送信することによりセンターサーバ又はサブセンターサーバが該当する情報サーバから情報を受けてリクエスタに送信し、これにより、リクエスタは商品や各種のサービス等多様な事項についての多様な情報を簡単に入手でき、しかも、センターサーバ及びサブセンターサーバの負担を軽減でき、汎用性を十分に向上できるネットワークシステムの情報処理装置を提供できる。
【０１４２】
また、請求項１０及び１２記載の発明によれば、商品情報を提供する情報サーバとは別にマスターファイルを備えたセンターサーバ及びサブセンターサーバを設け、このセンターサーバ及びサブセンターサーバのマスターファイルに情報サーバの接続情報を格納しておき、商品情報を必要とするリクエスタから検索コードをセンターサーバ又はサブセンターサーバに送信することによりセンターサーバ又はサブセンターサーバが該当する情報サーバから商品情報を受けてリクエスタに送信し、これにより、リクエスタは多様な商品についての多様な情報を簡単に入手でき、しかも、センターサーバ及びサブセンターサーバの負担を軽減でき、汎用性を十分に向上できるネットワークシステムの情報処理方法を提供できる。
【０１４３】
また、請求項１１、１３及び１４記載の発明によれば、商品情報を提供する情報サーバとは別にマスターファイルを備えたセンターサーバ及びサブセンターサーバを設け、このセンターサーバ及びサブセンターサーバのマスターファイルに情報サーバの接続情報を格納しておき、商品情報を必要とするリクエスタから検索コードをセンターサーバ又はサブセンターサーバに送信することによりセンターサーバ又はサブセンターサーバが該当する情報サーバから情報を受けてリクエスタに送信し、これにより、リクエスタは多様な商品についての多様な情報を簡単に入手でき、しかも、センターサーバ及びサブセンターサーバの負担を軽減でき、汎用性を十分に向上できるネットワークシステムの情報処理装置を提供できる。
【０１４４】
また、請求項１５記載の発明によれば、商品情報を提供する情報サーバとは別にマスターファイルを備えたセンターサーバを設け、このセンターサーバのマスターファイルに情報サーバの接続情報を格納しておき、情報を必要とするリクエスタから検索バーコードシンボルを含む２次元画像データをセンターサーバに送信することにより、リクエスタはセンターサーバから情報サーバの接続情報を受け、これにより、リクエスタは、該当する情報サーバから商品情報の提供を受けることが可能となり、多様な商品についての多様な情報を簡単に入手でき、しかも、センターサーバの負担を軽減でき、汎用性を十分に向上できるネットワークシステムの情報処理方法を提供できる。
【０１４５】
また、請求項１６記載の発明によれば、商品情報を提供する情報サーバとは別にマスターファイルを備えたセンターサーバを設け、このセンターサーバのマスターファイルに情報サーバの接続情報を格納しておき、情報を必要とするリクエスタから検索バーコードシンボルを含む２次元画像データをセンターサーバに送信することにより、リクエスタはセンターサーバから情報サーバの接続情報を受け、これにより、リクエスタは、該当する情報サーバから商品情報の提供を受けることが可能となり、多様な商品についての多様な情報を簡単に入手でき、しかも、センターサーバの負担を軽減でき、汎用性を十分に向上できるネットワークシステムの情報処理装置を提供できる。
【０１４６】
また、請求項１７及び１９記載の発明によれば、商品情報を提供する情報サーバとは別にマスターファイルを備えたセンターサーバを設け、このセンターサーバのマスターファイルに情報サーバの接続情報を格納しておき、商品情報を必要とするリクエスタから検索バーコードシンボルを含む２次元画像データをセンターサーバに送信することによりセンターサーバが該当する情報サーバから商品情報を受けてリクエスタに送信し、これにより、リクエスタは多様な商品についての多様な情報を簡単に入手でき、しかも、センターサーバの負担を軽減でき、汎用性を十分に向上できるネットワークシステムの情報処理方法を提供できる。
【０１４７】
さらに、請求項１８及び２０記載の発明によれば、商品情報を提供する情報サーバとは別にマスターファイルを備えたセンターサーバを設け、このセンターサーバのマスターファイルに情報サーバの接続情報を格納しておき、商品情報を必要とするリクエスタから検索バーコードシンボルを含む２次元画像データをセンターサーバに送信することによりセンターサーバが該当する情報サーバから商品情報を受けてリクエスタに送信し、これにより、リクエスタは多様な商品についての多様な情報を簡単に入手でき、しかも、センターサーバの負担を軽減でき、汎用性を十分に向上できるネットワークシステムの情報処理装置を提供できる。
【図面の簡単な説明】
【図１】本発明の実施の形態を示すネットワークシステム全体のブロック図。
【図２】同実施の形態におけるセンターサーバのブロック図。
【図３】同実施の形態におけるサブセンターサーバのブロック図。
【図４】同実施の形態における情報サーバのブロック図。
【図５】同実施の形態におけるパーソナルコンピュータのブロック図。
【図６】同実施の形態におけるマスターファイルの構成を示す図。
【図７】同実施の形態における企業ファイルの構成を示す図。
【図８】同実施の形態におけるドメインファイルの構成を示す図。
【図９】同実施の形態における参照メモリの構成を示す図。
【図１０】同実施の形態におけるサブセンターサーバ記憶部の構成を示す図。
【図１１】同実施の形態で使用するバーコードシンボルの一例を示す図。
【図１２】同実施の形態で使用する商品コードの一例を示す図。
【図１３】同実施の形態で使用する検索コードの構成を示す図。
【図１４】同実施の形態で使用する２次元画像の一例を示す図。
【図１５】同実施の形態で使用する２次元画像データの構成を示す図。
【図１６】同実施の形態で使用する検索種別データの構成を示す図。
【図１７】同実施の形態で使用する委託電文フォーマットを示す図。
【図１８】同実施の形態で使用するファイル名電文フォーマットを示す図。
【図１９】同実施の形態で使用する商品情報電文フォーマットを示す図。
【図２０】同実施の形態で使用する接続情報電文フォーマットを示す図。
【図２１】同実施の形態で使用するファイル送信電文フォーマットを示す図。
【図２２】同実施の形態で使用するマスターレコード送信電文フォーマットを示す図。
【図２３】同実施の形態で使用するサブセンターサーバプログラム電文フォーマットを示す図。
【図２４】同実施の形態で使用するリクエスタプログラム電文フォーマットを示す図。
【図２５】同実施の形態のセンターサーバによるマスターファイルの更新処理を示すフローチャート。
【図２６】同実施の形態のセンターサーバ及びサブセンターサーバによる受信電文処理を示すフローチャート。
【図２７】同実施の形態のセンターサーバ及びサブセンターサーバがサブセンターサーバにメンテナンスを実行させるためのタスク処理を示すフローチャート。
【図２８】同実施の形態のサブセンターサーバがメンテナンスを実行するためのタスク処理を示すフローチャート。
【図２９】同実施の形態のセンターサーバ及びサブセンターサーバによる参照メモリの参照カウンタの出力処理を示すフローチャート。
【図３０】同実施の形態における出力指定企業コードテーブルの構成を示す図。
【図３１】同実施の形態における指定企業の参照回数と請求金額の出力レポート例を示す図。
【図３２】同実施の形態の情報サーバによる商品情報送信処理を示すフローチャート。
【図３３】同実施の形態のパーソナルコンピュータが実行するプログラム動作を示すフローチャート。
【図３４】同実施の形態のパーソナルコンピュータのメニュー表示内容を示す図。
【図３５】同実施の形態のテレビの構成を示すブロック図。
【図３６】同実施の形態のリモコンの構成を示すブロック図。
【図３７】同実施の形態のリモコンの外観を示す斜視図。
【図３８】同実施の形態のテレビが実行するリモコンからのバーコードセンター呼び出しコマンドに対する処理を示すフローチャート。
【図３９】同実施の形態のリモコンの処理を示すフローチャート。
【符号の説明】
１０１〜１０３…センターサーバ
１０４〜１０６…情報サーバ
１０７〜１０９，１１３…サブセンターサーバ
１１０…パーソナルコンピュータ（リクエスタ）
１１１…テレビ（リクエスタ）
２０１，３０１，４０１，５０１…ＣＰＵ
２０２，３０２，４０２，５０２…ＲＯＭ
２０８，３０８，４０８…外部記憶装置
２１０，３１０，４１０…記憶媒体
【図１】
0003686189.tif 000002
【図２】
0003686189.tif 000003
【図３】
0003686189.tif 000004
【図４】
0003686189.tif 000005
【図５】
0003686189.tif 000006
【図６】
0003686189.tif 000007
【図７】
0003686189.tif 000008
【図８】
0003686189.tif 000009
【図９】
0003686189.tif 000010
【図１０】
0003686189.tif 000011
【図１１】
0003686189.tif 000012
【図１２】
0003686189.tif 000013
【図１３】
0003686189.tif 000014
【図１４】
0003686189.tif 000015
【図１５】
0003686189.tif 000016
【図１６】
0003686189.tif 000017
【図１７】
0003686189.tif 000018
【図１８】
0003686189.tif 000019
【図１９】
0003686189.tif 000020
【図２０】
0003686189.tif 000021
【図２１】
0003686189.tif 000022
【図２２】
0003686189.tif 000023
【図２３】
0003686189.tif 000024
【図２４】
0003686189.tif 000025
【図２５】
0003686189.tif 000026
【図２６】
0003686189.tif 000027
【図２７】
0003686189.tif 000028
【図２８】
0003686189.tif 000029
【図２９】
0003686189.tif 000030
【図３０】
0003686189.tif 000031
【図３１】
0003686189.tif 000032
【図３２】
0003686189.tif 000033
【図３３】
0003686189.tif 000034
【図３４】
0003686189.tif 000035
【図３５】
0003686189.tif 000036
【図３６】
0003686189.tif 000037
【図３７】
0003686189.tif 000038
【図３８】
0003686189.tif 000039
【図３９】
0003686189.tif 000040